(57)【要約】  本出願の実施形態は、情報伝送方法及び装置を開示する。前記方法は、端末装置がネットワーク装置から送信された第一の情報を受信することと、前記端末装置が前記第一の情報に基づき、アップリンク伝送リソースにおける、アップリンク制御情報を伝送するための第一のリソースを確定することと、前記端末装置が前記第一のリソースに基づき、前記アップリンク制御情報を伝送することと、を含む。
2021517756.tif 000002
【特許請求の範囲】
【請求項１】
情報伝送方法であって、
端末装置がネットワーク装置から送信された第一の情報を受信することと、
前記端末装置が前記第一の情報に基づき、アップリンク伝送リソースにおける、アップリンク制御情報を伝送するための第一のリソースを確定することと、
前記端末装置が前記第一のリソースに基づき、前記アップリンク制御情報を伝送することと、を含む、前記情報伝送方法。
【請求項２】
前記第一の情報は、
アップリンク伝送リソースでアップリンク制御情報を伝送できるか否か、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプのうちの少なくとも１つを示すことに用いられることを特徴とする
請求項１に記載の方法。
【請求項３】
前記第一の情報は明示的又は暗黙的に示されることを特徴とする
請求項１又は２に記載の方法。
【請求項４】
前記第一の情報は、アップリンク制御情報の変調及び符号化方式（ＭＣＳ）オフセットを示すための指示フィールドに搬送されることを特徴とする
請求項３に記載の方法。
【請求項５】
前記第一の情報は、ＭＣＳオフセットを示すための複数の指示フィールドに搬送され、前記複数の指示フィールドのうちの各指示フィールドがそれぞれ相応するビット数範囲及び／又はアップリンク制御情報タイプに対応し、前記ビット数範囲が前記ダウンリンク制御情報の伝送を制限するためのビット数の範囲を示すことに用いられることを特徴とする
請求項４に記載の方法。
【請求項６】
前記指示フィールドによって示されるオフセット値が第一の条件を満たしている場合、前記アップリンク伝送リソースでアップリンク制御情報を伝送することができないことを示すことに用いられることを特徴とする
請求項４又は５に記載の方法。
【請求項７】
前記指示フィールドによって示されるオフセット値が第一の条件を満たしていることは、前記指示フィールドによって示されるオフセット値がゼロであることを含むことを特徴とする
請求項６に記載の方法。
【請求項８】
前記指示フィールドの第一の部分の値は、伝送が制限されるアップリンク制御情報を示すことに用いられ、前記指示フィールドの第二の部分の値は、伝送が制限されないアップリンク制御情報を示すことに用いられることを特徴とする
請求項４に記載の方法。
【請求項９】
前記指示フィールドは、ハイブリッド自動再送リクエスト確認（ＨＡＲＱ−ＡＣＫ）情報伝送が制限されているか否かを示すことに用いられることを特徴とする
請求項４に記載の方法。
【請求項１０】
前記指示フィールドがチャネル状態情報（ＣＳＩ）に対応する指示フィールドであり、前記指示フィールドによって示されるオフセット値が特定の条件を満たしている場合、伝送可能なアップリンク制御情報のビット数がＮ以下であること、及び／又は伝送可能なアップリンク制御情報のタイプがＨＡＲＱ−ＡＣＫ情報であることを示すことに用いられ、ここで、前記Ｎが正整数であることを特徴とする
請求項９に記載の方法。
【請求項１１】
前記指示フィールドによって示されるオフセット値が特定の条件を満たしていることは、前記指示フィールドによって示されるオフセット値がゼロであることを含むことができることを特徴とする
請求項１０に記載の方法。
【請求項１２】
前記端末装置はデータチャネルのタイプ及び／又はデータ伝送のための時間領域長さに基づいて前記第一の情報を確定することを特徴とする
請求項１〜１１のいずれか一項に記載の方法。
【請求項１３】
前記第一の情報は、半永続的リソースに専属することを特徴とする
請求項１〜１２のいずれか一項に記載の方法。
【請求項１４】
前記アップリンク制御情報は、
ＨＡＲＱ−ＡＣＫ、ランクランク指示（ＲＩ）、チャネル品質指示（ＣＱＩ）、プリコーディングマトリックス指示（ＰＭＩ）、チャネル状態情報基準信号リソース指示（ＣＲＩ）、最強層指示（ＳＬＩ）とレイヤ１基準信号受信電力（Ｌ１−ＲＳＲＰ）のうちの少なくとも１つを含むことを特徴とする
請求項１〜１３のいずれか一項に記載の方法。
【請求項１５】
情報伝送方法であって、
ネットワーク装置が第一の情報を確定し、前記第一の情報がアップリンク伝送リソースにおける、アップリンク制御情報を伝送するために端末装置によって用いられることと、
前記ネットワーク装置が前記端末装置へ前記第一の情報を送信することと、を含む、前記情報伝送方法。
【請求項１６】
前記第一の情報は、
アップリンク伝送リソースでアップリンク制御情報を伝送できるか否か、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプのうちの少なくとも１つを示すことに用いられることを特徴とする
請求項１５に記載の方法。
【請求項１７】
前記第一の情報は明示的又は暗黙的に示されることを特徴とする
請求項１５又は１６に記載の方法。
【請求項１８】
前記第一の情報は、アップリンク制御情報の変調及び符号化方式（ＭＣＳ）オフセットを示すための指示フィールドに搬送されることを特徴とする
請求項１７に記載の方法。
【請求項１９】
前記第一の情報は、アップリンク制御情報のＭＣＳオフセットを示すための複数の指示フィールドに搬送され、前記複数の指示フィールドのうちの各指示フィールドがそれぞれ相応するビット数範囲に対応し、前記ビット数範囲が前記ダウンリンク制御情報の伝送を制限するためのビット数の範囲を示すことに用いられることを特徴とする
請求項１８に記載の方法。
【請求項２０】
前記指示フィールドによって示されるオフセット値が第一の条件を満たしている場合、前記アップリンク伝送リソースでアップリンク制御情報を伝送することができないことを示すことに用いられることを特徴とする
請求項１８又は１９に記載の方法。
【請求項２１】
前記指示フィールドによって示されるオフセット値が第一の条件を満たしていることは、前記指示フィールドによって示されるオフセット値がゼロであることを含むことを特徴とする
請求項２０に記載の方法。
【請求項２２】
前記指示フィールドの第一の部分の値は伝送が制限されるアップリンク制御情報を示すことに用いられ、前記指示フィールドの第二の部分の値は伝送が制限されないアップリンク制御情報を示すことに用いられることを特徴とする
請求項１８に記載の方法。
【請求項２３】
前記指示フィールドは、ハイブリッド自動再送リクエスト確認（ＨＡＲＱ−ＡＣＫ）情報伝送が制限されているか否かを示すことに用いられることを特徴とする
請求項１８に記載の方法。
【請求項２４】
前記指示フィールドがチャネル状態情報（ＣＳＩ）に対応する指示フィールドであり、前記指示フィールドによって示されるオフセット値が特定の条件を満たしている場合、伝送可能なアップリンク制御情報のビット数がＮ以下であること、及び／又は伝送可能なアップリンク制御情報のタイプがＨＡＲＱ−ＡＣＫ情報であることを示すことに用いられ、ここで、前記Ｎが正整数であることを特徴とする
請求項２３に記載の方法。
【請求項２５】
前記指示フィールドによって示されるオフセット値が特定の条件を満たしていることは、前記指示フィールドによって示されるオフセット値がゼロであることを含むことができることを特徴とする
請求項２４に記載の方法。
【請求項２６】
前記端末装置はデータチャネルのタイプ及び／又はデータ伝送のための時間領域長さに基づいて前記第一の情報を確定することを特徴とする
請求項１５〜２５のいずれか一項に記載の方法。
【請求項２７】
前記第一の情報は、半永続的リソースに専属することを特徴とする
請求項１５〜２６のいずれか一項に記載の方法。
【請求項２８】
前記アップリンク制御情報は、
ＨＡＲＱ−ＡＣＫ、ランクランク指示（ＲＩ）、チャネル品質指示（ＣＱＩ）、プリコーディングマトリックス指示（ＰＭＩ）、チャネル状態情報基準信号リソース指示（ＣＲＩ）、最強層指示（ＳＬＩ）とレイヤ１基準信号受信電力（Ｌ１−ＲＳＲＰ）のうちの少なくとも１つを含むことを特徴とする
請求項１５〜２７のいずれか一項に記載の方法。
【請求項２９】
情報伝送装置であって、
ネットワーク装置から送信された第一の情報を受信するように構成される通信モジュールと、
前記第一の情報に基づき、アップリンク伝送リソースにおける、アップリンク制御情報を伝送するための第一のリソースを確定するように構成される確定ユニットとを備え、
前記通信モジュールがさらに前記第一のリソースに基づき、前記アップリンク制御情報を伝送するように構成される、前記情報伝送装置。
【請求項３０】
前記第一の情報は、
アップリンク伝送リソースでアップリンク制御情報を伝送できるか否か、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプのうちの少なくとも１つを示すことに用いられることを特徴とする
請求項２９に記載の装置。
【請求項３１】
前記第一の情報は明示的又は暗黙的に示されることを特徴とする
請求項２９又は３０に記載の装置。
【請求項３２】
前記第一の情報は、アップリンク制御情報の変調及び符号化方式（ＭＣＳ）オフセットを示すための指示フィールドに搬送されることを特徴とする
請求項３１に記載の装置。
【請求項３３】
前記第一の情報は、ＭＣＳオフセットを示すための複数の指示フィールドに搬送され、前記複数の指示フィールドのうちの各指示フィールドがそれぞれ相応するビット数範囲に対応し、前記ビット数範囲が前記ダウンリンク制御情報の伝送を制限するためのビット数の範囲を示すことに用いられることを特徴とする
請求項３２に記載の装置。
【請求項３４】
前記指示フィールドによって示されるオフセット値が第一の条件を満たしている場合、前記アップリンク伝送リソースでアップリンク制御情報を伝送することができないことを示すことに用いられることを特徴とする
請求項３２又は３３に記載の装置。
【請求項３５】
前記指示フィールドによって示されるオフセット値が第一の条件を満たしていることは、前記指示フィールドによって示されるオフセット値がゼロであることを含むことを特徴とする
請求項３４に記載の装置。
【請求項３６】
前記指示フィールドの第一の部分の値は伝送が制限されるアップリンク制御情報を示すことに用いられ、前記指示フィールドの第二の部分の値は伝送が制限されないアップリンク制御情報を示すことに用いられることを特徴とする
請求項３２に記載の装置。
【請求項３７】
前記指示フィールドは、ハイブリッド自動再送リクエスト確認（ＨＡＲＱ−ＡＣＫ）情報伝送が制限されているか否かを示すことに用いられることを特徴とする
請求項３２に記載の装置。
【請求項３８】
前記指示フィールドがチャネル状態情報（ＣＳＩ）に対応する指示フィールドであり、前記指示フィールドによって示されるオフセット値が特定の条件を満たしている場合、伝送可能なアップリンク制御情報のビット数がＮ以下であること、及び／又は伝送可能なアップリンク制御情報のタイプがＨＡＲＱ−ＡＣＫ情報であることを示すことに用いられ、ここで、前記Ｎが正整数であることを特徴とする
請求項３７に記載の装置。
【請求項３９】
前記指示フィールドによって示されるオフセット値が特定の条件を満たしていることは、前記指示フィールドによって示されるオフセット値がゼロであることを含むことができることを特徴とする
請求項３８に記載の装置。
【請求項４０】
前記端末装置はデータチャネルのタイプ及び／又はデータ伝送のための時間領域長さに基づいて前記第一の情報を確定することを特徴とする
請求項２９〜３９のいずれか一項に記載の装置。
【請求項４１】
前記第一の情報は、半永続的リソースに専属することを特徴とする
請求項２９〜４０のいずれか一項に記載の装置。
【請求項４２】
前記アップリンク制御情報は、
ＨＡＲＱ−ＡＣＫ、ランクランク指示（ＲＩ）、チャネル品質指示（ＣＱＩ）、プリコーディングマトリックス指示（ＰＭＩ）、チャネル状態情報基準信号リソース指示（ＣＲＩ）、最強層指示（ＳＬＩ）とレイヤ１基準信号受信電力（Ｌ１−ＲＳＲＰ）のうちの少なくとも１つを含むことを特徴とする
請求項２９〜４１のいずれか一項に記載の装置。
【請求項４３】
情報伝送装置であって、
第一の情報を確定するように構成され、前記第一の情報がアップリンク伝送リソースにおける、アップリンク制御情報を伝送するための第一のリソースを確定するために端末装置によって用いられる確定モジュールと、
前記端末装置へ第一の情報を送信するように構成される通信モジュールとを備える、前記情報伝送装置。
【請求項４４】
前記第一の情報は、
アップリンク伝送リソースでアップリンク制御情報を伝送できるか否か、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプのうちの少なくとも１つを示すことに用いられることを特徴とする
請求項４３に記載の装置。
【請求項４５】
前記第一の情報は明示的又は暗黙的に示されることを特徴とする
請求項４３又は４４に記載の装置。
【請求項４６】
前記第一の情報は、アップリンク制御情報の変調及び符号化方式（ＭＣＳ）オフセットを示すための指示フィールドに搬送されることを特徴とする
請求項４５に記載の装置。
【請求項４７】
前記第一の情報は、アップリンク制御情報のＭＣＳオフセットを示すための複数の指示フィールドに搬送され、前記複数の指示フィールドのうちの各指示フィールドがそれぞれ相応するビット数範囲に対応し、前記ビット数範囲が前記ダウンリンク制御情報の伝送を制限するためのビット数の範囲を示すことに用いられることを特徴とする
請求項４６に記載の装置。
【請求項４８】
前記指示フィールドによって示されるオフセット値が第一の条件を満たしている場合、前記アップリンク伝送リソースでアップリンク制御情報を伝送することができないことを示すことに用いられることを特徴とする
請求項４６又は４７に記載の装置。
【請求項４９】
前記指示フィールドによって示されるオフセット値が第一の条件を満たしていることは、前記指示フィールドによって示されるオフセット値がゼロであることを含むことを特徴とする
請求項４８に記載の装置。
【請求項５０】
前記指示フィールドの第一の部分の値は伝送が制限されるアップリンク制御情報を示すことに用いられ、前記指示フィールドの第二の部分の値は伝送が制限されないアップリンク制御情報を示すことに用いられることを特徴とする
請求項４６に記載の装置。
【請求項５１】
前記指示フィールドは、ハイブリッド自動再送リクエスト確認（ＨＡＲＱ−ＡＣＫ）情報伝送が制限されているか否かを示すことに用いられることを特徴とする
請求項４６に記載の装置。
【請求項５２】
前記指示フィールドがチャネル状態情報（ＣＳＩ）に対応する指示フィールドであり、前記指示フィールドによって示されるオフセット値が特定の条件を満たしている場合、伝送可能なアップリンク制御情報のビット数がＮ以下であること、及び／又は伝送可能なアップリンク制御情報のタイプがＨＡＲＱ−ＡＣＫ情報であることを示すことに用いられ、ここで、前記Ｎが正整数であることを特徴とする
請求項５１に記載の装置。
【請求項５３】
前記指示フィールドによって示されるオフセット値が特定の条件を満たしていることは、前記指示フィールドによって示されるオフセット値がゼロであることを含むことができることを特徴とする
請求項５２に記載の装置。
【請求項５４】
前記端末装置はデータチャネルのタイプ及び／又はデータ伝送のための時間領域長さに基づいて前記第一の情報を確定することを特徴とする
請求項４３〜５３のいずれか一項に記載の装置。
【請求項５５】
前記第一の情報は、半永続的リソースに専属することを特徴とする
請求項４３〜５４のいずれか一項に記載の装置。
【請求項５６】
前記アップリンク制御情報は、
ＨＡＲＱ−ＡＣＫ、ランクランク指示（ＲＩ）、チャネル品質指示（ＣＱＩ）、プリコーディングマトリックス指示（ＰＭＩ）、チャネル状態情報基準信号リソース指示（ＣＲＩ）、最強層指示（ＳＬＩ）とレイヤ１基準信号受信電力（Ｌ１−ＲＳＲＰ）のうちの少なくとも１つを含むことを特徴とする
請求項４３〜５５のいずれか一項に記載の装置。
【発明の詳細な説明】
【技術分野】
【０００１】
本出願の実施形態は通信分野に関し、且つより具体的には、情報伝送方法及び装置に関する。
【背景技術】
【０００２】
長期進化型（ＬＴＥ：Ｌｏｎｇ  Ｔｅｒｍ  Ｅｖｏｌｕｔｉｏｎ）システムでは、アップリンク制御情報（ＵＣＩ：Ｕｐｌｉｎｋ  Ｃｏｎｔｒｏｌ  Ｉｎｆｏｒｍａｔｉｏｎ）伝送とアップリンクデータ伝送が衝突する場合、アップリンク制御情報とアップリンクデータの両方は物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）を介して送信されてもよい。動的にスケジュールされたＰＵＳＣＨの場合、ネットワーク装置は、端末装置がアップリンク制御情報とアップリンクデータの両方をＰＵＳＣＨで伝送するか否かを予期することができ、したがって、ネットワーク装置は、適切なリソースを予約し、適切な変調及び符号化方式（ＭＣＳ：Ｍｏｄｕｌａｔｉｏｎ  ａｎｄ  Ｃｏｄｉｎｇ  Ｓｃｈｅｍｅ）を配置することでデータ伝送の信頼性を保証することができる。半永続的にスケジュールされたＰＵＳＣＨの場合、アップリンクサービスの信頼性及び遅延要求が高くないため、アップリンク制御情報がＰＵＳＣＨで伝送されてアップリンクデータが誤って受信される場合でも、そのデータ伝送の信頼性が再送信により保証されてもよい。
【０００３】
しかし、５Ｇ（５ｔｈ−Ｇｅｎｅｒａｔｉｏｎ）新無線（ＮＲ：Ｎｅｗ  Ｒａｄｉｏ）システムでは、半永続的スケジュールが、信頼性が高く且つ遅延が低いサービスの伝送に用いられてもよく、半永続的スケジュール方式に対して、アップリンク制御情報とアップリンクデータの両方がＰＵＳＣＨで伝送されると、アップリンクデータ伝送の信頼性及び遅延要求を保証することができない可能性がある。したがって、上記問題を解決することができる技術的解決策が必要となる。
【発明の概要】
【発明が解決しようとする課題】
【０００４】
本出願の実施形態は、データ伝送の信頼性及び伝送遅延の折衷を実現することができる情報伝送方法及び装置を提供する。
【課題を解決するための手段】
【０００５】
第一の態様による情報伝送方法は、端末装置がネットワーク装置から送信された第一の情報を受信することと、前記端末装置が前記第一の情報に基づき、アップリンク伝送リソースにおける、アップリンク制御情報を伝送するための第一のリソースを確定することと、前記端末装置が前記第一のリソースに基づき、前記アップリンク制御情報を伝送することと、を含む。
【０００６】
したがって、本出願の実施形態による情報伝送方法では、ネットワーク装置によって配置された第一の情報に基づき、アップリンク伝送リソースにおける、アップリンク制御情報（ＵＣＩ）伝送のためのリソースを確定することができ、さらに、端末装置は、アップリンク制御情報伝送のためのリソースで前記アップリンク制御情報を伝送するように構成されてもよい。これにより、アップリンク制御情報とアップリンクデータ伝送の衝突問題を回避することに有利である。
【０００７】
一つの可能な実施形態では、前記第一の情報は、
アップリンク伝送リソースでアップリンク制御情報を伝送できるか否か、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプのうちの少なくとも１つを示すことに用いられる。
【０００８】
したがって、端末装置は、前記第一の情報に基づき、アップリンク伝送リソースがＵＣＩを伝送できるか否かを確定することができ、ＵＣＩの伝送に利用可能な場合、さらに、前記ＵＣＩの送信方式、例えば、送信待ちＵＣＩを伝送するための全てのビット、送信待ちＵＣＩを処理して再送信するかを確定することができる。
【０００９】
一つの可能な実施形態では、前記第一の情報は明示的又は暗黙的に示される。
【００１０】
例えば、前記第一の情報は表示コマンド（例えば上位層シグナリング又は物理層シグナリングなど）によって端末装置に配置されてもよく、又は、特定の状況又は特定の場合で、既存の情報又はシグナリングは前記第一の情報を示すことに用いられてもよく、本出願の実施形態はこれに限定されない。
【００１１】
一つの可能な実施形態では、前記第一の情報は、アップリンク制御情報の変調及び符号化方式（ＭＣＳ）オフセットを示すための指示フィールドに搬送される。
【００１２】
選択可能に、前記第一の情報は、ＭＣＳ  ｏｆｆｅｓｅｔを示すための既存の指示フィールドの長さを増加することで搬送されてもよく、又は前記第一の情報は、ＭＣＳ  ｏｆｆｓｅｔを示すための前記既存の指示フィールドにおける予約ビットで搬送されてもよく、本出願の実施形態はこれに限定されない。
【００１３】
一つの可能な実施形態では、前記第一の情報は、アップリンク制御情報のＭＣＳオフセットを示すための複数の指示フィールドに搬送され、前記複数の指示フィールドのうちの各指示フィールドがそれぞれ対応するビット数範囲及び／又はアップリンク制御情報タイプに対応し、前記ビット数範囲が前記ダウンリンク制御情報の伝送を制限するためのビット数の範囲を示すことに用いられる。
【００１４】
したがって、ＵＣＩの伝送を許可するためのビット数及び／又はアップリンク制御情報タイプを複数の指示フィールドによって柔軟に示すことができる。これにより、ＵＣＩリソース指示の柔軟性が向上する。
【００１５】
一つの可能な実施形態では、前記指示フィールドによって示されるオフセット値が第一の条件を満たしている場合、前記アップリンク伝送リソースでアップリンク制御情報を伝送することができないことを示すことに用いられる。
【００１６】
一つの可能な実施形態では、前記指示フィールドによって示されるオフセット値が第一の条件を満たしていることは、前記指示フィールドによって示されるオフセット値がゼロであることを含む。
【００１７】
したがって、既存の指示フィールドを多重化して前記第一の情報を搬送することにより、シグナリングオーバーヘッドを節約することができ、同時に、ＵＣＩのＭＣＳオフセットの柔軟な配置を実現することができ、例えば、ＵＣＩの制限される伝送を実現することができる。これにより、ＵＣＩとアップリンクデータの両方がＰＵＳＣＨで伝送される場合の衝突問題を回避することができ、アップリンクデータ伝送の信頼性を保証することができる。
【００１８】
一つの可能な実施形態では、前記指示フィールドの第一の部分の値は伝送が制限されるアップリンク制御情報を示すことに用いられ、前記指示フィールドの第二の部分の値は伝送が制限されないアップリンク制御情報を示すことに用いられる。
【００１９】
したがって、既存の指示フィールドを多重化して前記第一の情報を搬送することにより、シグナリングオーバーヘッドを節約することができ、同時に、ＵＣＩのＭＣＳ  ｏｆｆｓｅｔの柔軟な配置を実現することができ、例えば、ＵＣＩの制限される伝送を実現することができる。これにより、ＵＣＩとアップリンクデータの両方がＰＵＳＣＨで伝送される場合の衝突問題を回避することができ、アップリンクデータ伝送の信頼性を保証することができる。
【００２０】
一つの可能な実施形態では、前記指示フィールドは、ハイブリッド自動再送リクエスト確認（ＨＡＲＱ−ＡＣＫ：Ｈｙｂｒｉｄ  Ａｕｔｏｍａｔｉｃ  Ｒｅｐｅａｔ  ｒｅＱｕｅｓｔ  ＡＣＫｎｏｗｌｅｄｇｅｍｅｎｔ）情報伝送が制限されているか否かを示すことに用いられる。
【００２１】
一つの可能な実施形態では、前記指示フィールドがチャネル状態情報（ＣＳＩ：Ｃｈａｎｎｅｌ  Ｓｔａｔｅ  Ｉｎｆｏｒｍａｔｉｏｎ）に対応する指示フィールドであり、前記指示フィールドによって示されるオフセット値が特定の条件を満たしている場合、伝送可能なアップリンク制御情報のビット数がＮ以下であること、及び／又は伝送可能なアップリンク制御情報のタイプがＨＡＲＱ−ＡＣＫ情報であることを示すことに用いられ、ここで、前記Ｎが正整数である。
【００２２】
したがって、前記第一の情報が交差隠し方式で示されてもよく、前記第一の情報への指示の柔軟性が向上する。前記指示方式により、ＨＡＲＱ−ＡＣＫとＣＳＩの伝送が同時に制限されてもよく、アップリンクデータ伝送の信頼性の保証に役立つ。
【００２３】
そして、ＣＳＩの重要性／緊急度がＨＡＲＱ−ＡＣＫ情報よりも低いため、本出願の実施形態ではＣＳＩ伝送の制限が優先的に考えられ、それによって伝送リソースが限られている場合、ＣＳＩ情報が優先的に破棄され、ＨＡＲＱ−ＡＣＫ情報の伝送を保証し、ダウンリンク伝送効率の最大化を達成できる。
【００２４】
また、ＨＡＲＱ−ＡＣＫ伝送のためのビット数／伝送リソースをＣＳＩの指示フィールドによって明示的又は暗黙的に制限することにより、複数の伝送方式、例えばＣＳＩとＨＡＲＱ−ＡＣＫの両方がニューズに応じて伝送される（即ち制限されない伝送）こと、ＣＳＩが伝送されないこと、ＡＨＡＲＱ−ＡＣＫの伝送が制限されること、ＣＳＩとＨＡＲＱ−ＡＣＫの両方が伝送されないことなどを実現することができる。これにより、アップリンク伝送の信頼性とダウンリンク伝送の伝送効率の折衷を実現することができる。
【００２５】
一つの可能な実施形態では、前記指示フィールドによって示されるオフセット値が特定の条件を満たしていることは、前記指示フィールドによって示されるオフセット値がゼロであることを含むことができる。
【００２６】
一つの可能な実施形態では、前記端末装置はデータチャネルのタイプ及び／又はデータ伝送のための時間領域長さに基づいて前記第一の情報を確定する。
【００２７】
一つの可能な実施形態では、前記第一の情報は半永続的リソースに専属する。
【００２８】
一つの可能な実施形態では、前記アップリンク制御情報は、
ＨＡＲＱ−ＡＣＫ、ランクランク指示（ＲＩ：Ｒａｎｋ  Ｉｎｄｉｃａｔｏｒ）、チャネル品質指示（ＣＱＩ：Ｃｈａｎｎｅｌ  Ｑｕａｌｉｔｙ  Ｉｎｄｉｃａｔｉｏｎ）、プリコーディングマトリックス指示（ＰＭＩ：Ｐｒｅｃｏｄｉｎｇ  Ｍａｔｒｉｘ  Ｉｎｄｉｃａｔｉｏｎ）、チャネル状態情報基準信号リソース指示（ＣＲＩ：ＣＳＩ  Ｒｅｆｅｒｅｎｃｅ  Ｓｉｇｎａｌ  Ｒｅｓｏｕｒｃｅ  Ｉｎｄｉｃａｔｏｒ）、最強層指示（ＳＬＩ：Ｓｔｒｏｎｇｅｓｔ  Ｌａｙｅｒ  Ｉｎｄｉｃａｔｉｏｎ）とレイヤ１基準信号受信電力（Ｌ１−ＲＳＲＰ：Ｌａｙｅｒ  １−Ｒｅｆｅｒｅｎｃｅ  Ｓｉｇｎａｌ  Ｒｅｃｅｉｖｅｄ  Ｐｏｗｅｒ）のうちの少なくとも１つを含む。
【００２９】
第二の態様による情報伝送方法は、ネットワーク装置が第一の情報を確定し、前記第一の情報がアップリンク伝送リソースにおける、アップリンク制御情報を伝送するための第一のリソースを確定するために端末装置によって用いられることと、前記ネットワーク装置が前記端末装置へ第一の情報を送信することと、を含む。
【００３０】
一つの可能な実施形態では、前記第一の情報は、
アップリンク伝送リソースでアップリンク制御情報を伝送できるか否か、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプのうちの少なくとも１つを示すことに用いられる。
【００３１】
一つの可能な実施形態では、前記第一の情報は、明示的又は暗黙的に示される。
【００３２】
一つの可能な実施形態では、前記第一の情報は、アップリンク制御情報の変調及び符号化方式（ＭＣＳ）オフセットを示すための指示フィールドに搬送される。
【００３３】
一つの可能な実施形態では、前記第一の情報は、アップリンク制御情報のＭＣＳオフセットを示すための複数の指示フィールドに搬送され、前記複数の指示フィールドのうちの各指示フィールドがそれぞれ相応するビット数範囲に対応し、前記ビット数範囲が前記ダウンリンク制御情報の伝送を制限するためのビット数の範囲を示すことに用いられる。
【００３４】
一つの可能な実施形態では、前記指示フィールドによって示されるオフセット値が第一の条件を満たしている場合、前記アップリンク伝送リソースでアップリンク制御情報を伝送することができないことを示すことに用いられる。
【００３５】
一つの可能な実施形態では、前記指示フィールドによって示されるオフセット値が第一の条件を満たしていることは、前記指示フィールドによって示されるオフセット値がゼロであることを含む。
【００３６】
一つの可能な実施形態では、前記指示フィールドの第一の部分の値は伝送が制限されるアップリンク制御情報を示すことに用いられ、前記指示フィールドの第二の部分の値は伝送が制限されないアップリンク制御情報を示すことに用いられる。
【００３７】
一つの可能な実施形態では、前記指示フィールドは、ハイブリッド自動再送リクエスト確認（ＨＡＲＱ−ＡＣＫ）情報伝送が制限されているか否かを示すことに用いられる。
【００３８】
一つの可能な実施形態では、前記指示フィールドがチャネル状態情報（ＣＳＩ）に対応する指示フィールドであり、前記指示フィールドによって示されるオフセット値が特定の条件を満たしている場合、伝送可能なアップリンク制御情報のビット数がＮ以下であること、及び／又は伝送可能なアップリンク制御情報のタイプがＨＡＲＱ−ＡＣＫ情報であることを示すことに用いられ、ここで、前記Ｎが正整数である。
【００３９】
一つの可能な実施形態では、前記指示フィールドによって示されるオフセット値が特定の条件を満たしていることは、前記指示フィールドによって示されるオフセット値がゼロであることを含むことができる。
【００４０】
一つの可能な実施形態では、前記端末装置はデータチャネルのタイプ及び／又はデータ伝送のための時間領域長さに基づいて前記第一の情報を確定する。
【００４１】
一つの可能な実施形態では、前記第一の情報は半永続的リソースに専属する。
【００４２】
一つの可能な実施形態では、前記アップリンク制御情報は、
ＨＡＲＱ−ＡＣＫ、ランクランク指示（ＲＩ）、チャネル品質指示（ＣＱＩ）、プリコーディングマトリックス指示（ＰＭＩ）、チャネル状態情報基準信号リソース指示（ＣＲＩ）、最強層指示（ＳＬＩ）とレイヤ１基準信号受信電力（Ｌ１−ＲＳＲＰ）のうちの少なくとも１つを含む。
【００４３】
第三の態様による情報伝送装置は上記第一の態様又は第一の態様のいずれかの可能な実施形態における方法を実行するように構成される。前記装置は、上記第一の態様又は第一の態様のいずれかの可能な実施形態における方法を実行するように構成されるユニットを備える。
【００４４】
第四の態様による情報伝送装置は、メモリ、プロセッサ、入力インタフェースと出力インタフェースを備える。ここで、メモリ、プロセッサ、入力インタフェースと出力インタフェースは、バスシステムを介して接続される。前記メモリは、コマンドを記憶するように構成され、前記プロセッサは、前記メモリに記憶された、上記第一の態様又は第一の態様のいずれかの可能な実施形態における方法を実行するように構成されるコマンドを実行するように構成される。
【００４５】
第五の態様による情報伝送装置は、上記第二の態様又は第二の態様のいずれかの可能な実施形態における方法を実行するように構成される。具体的には、前記装置は、上記第二の態様又は第二の態様のいずれかの可能な実施形態における方法を実行するように構成されるユニットを備える。
【００４６】
第六の態様による情報伝送装置は、メモリ、プロセッサ、入力インタフェースと出力インタフェースを備える。ここで、メモリ、プロセッサ、入力インタフェースと出力インタフェースは、バスシステムを介して接続される。前記メモリは、コマンドを記憶するように構成され、前記プロセッサは、前記メモリに記憶された、上記第二の態様又は第二の態様のいずれかの可能な実施形態における方法を実行するように構成されるコマンドを実行するように構成される。
【００４７】
第七の態様によるコンピュータ記憶媒体は、上記第一の態様又は第一の態様のいずれかの可能な実施形態における方法を実行するための、上記態様を実行するように構成されるプログラムを含むコンピュータソフトウエアコマンドを記憶するように構成される。
【００４８】
第八の態様によるコマンドを含むコンピュータプログラム製品は、コンピュータで実行される場合、コンピュータに上記第一の態様又は第一の態様のいずれかの選択可能な実施形態における方法を実行させる。
【００４９】
第九の態様によるコンピュータ記憶媒体は、上記第二の態様又は第二の態様のいずれかの可能な実施形態における方法を実行するための、上記態様を実行するように構成されるプログラムを含むコンピュータソフトウエアコマンドを記憶するように構成される。
【００５０】
第十の態様によるコマンドを含むコンピュータプログラム製品は、コンピュータで実行される場合、コンピュータに上記第二の態様又は第二の態様のいずれかの選択可能な実施形態における方法を実行させる。
【図面の簡単な説明】
【００５１】
【図１】本出願の実施形態の一つの応用シーンを示す概略図である。
【図２】本出願の実施形態による情報伝送方法を示す概略フローチャートである。
【図３】ダウンリンク制御情報の一つの処理方式を示す概略図である。
【図４】ダウンリンク制御情報の他の処理方式を示す概略図である。
【図５】本出願の他の実施形態による情報伝送方法を示す概略フローチャートである。
【図６】本出願の実施形態による情報伝送装置を示す概略ブロック図である。
【図７】本出願の他の実施形態による情報伝送装置を示す概略ブロック図である。
【図８】本出願の実施形態による情報伝送装置を示す概略ブロック図である。
【図９】本出願の他の実施形態による情報伝送装置を示す概略ブロック図である。
【発明を実施するための形態】
【００５２】
以下に図面を組み合わせながら本出願の実施形態における技術的解決策を説明する。
【００５３】
本出願の実施形態の技術的解決策は様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム又は将来の５Ｇシステムなどに応用されてもよい。
【００５４】
図１には本発明の実施形態に応用される無線通信システム１００が示される。前記無線通信システム１００はネットワーク装置１１０を備えることができる。ネットワーク装置１００は端末装置と通信する装置であってもよい。ネットワーク装置１００は特定の地理的エリアに対して通信カバレッジを提供することができ、そして前記カバレッジに位置する端末装置（例えばＵＥ）と通信を行うことができる。選択可能に、前記ネットワーク装置１００はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、さらにＬＴＥシステムにおける進化型基地局（ｅＮＢ又はｅＮｏｄｅＢ：Ｅｖｏｌｕｔｉｏｎａｌ  ＮｏｄｅＢ）であってもよいし、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は前記ネットワーク装置は中継局、アクセスポイント、車載デバイス、ウェアラブルデバイス、将来の５Ｇネットワークにおけるネットワーク装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）におけるネットワーク装置などであってもよい。
【００５５】
前記無線通信システム１００は、さらにネットワーク装置１１０のカバレッジに位置する少なくとも一つの端末装置１２０を備える。端末装置１２０は移動型又は固定型でもよい。選択可能に、端末装置１２０はアクセス端末、ユーザ装置（ＵＥ：Ｕｓｅｒ  Ｅｑｕｉｐｍｅｎｔ）、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末は、セルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化したＰＬＭＮネットワークにおける端末装置などであってもよい。
【００５６】
本出願の実施形態では、ネットワーク装置は、端末装置に半永続的リソース（又は非動的リソース、アンライセンス（Ｇｒａｎｔ  ｆｒｅｅ）リソース）と呼ばれる）を配置することができ、前記半永続的リソースが非動的スケジュール伝送（又は半永続的伝送と呼ばれる）のためのリソースであり、前記非動的スケジュールが動的スケジュール（例えば、物理層シグナリングによるスケジュール）以外のスケジュール方式、例えば、半静的配置（即ちタイプ（Ｔｙｐｅｌ）１）の伝送方式、又は半静的配置と動的トリガ（即ちタイプ（Ｔｙｐｅｌ）２）の組み合わせの伝送方式である。
【００５７】
本出願の実施形態では、ネットワーク装置は、端末装置にアップリンク半永続的伝送における、情報伝送を制御するための変調及び符号化方式（ＭＣＳ：Ｍｏｄｕｌａｔｉｏｎ  ａｎｄ  Ｃｏｄｉｎｇ  Ｓｃｈｅｍｅ）オフセット（ｏｆｆｓｅｔ）を配置することができ、例えば、ＢｅｔａｏｆｆｓｅｔがＭＣＳ  ｏｆｆｓｅｔのインデックスを示す。
【００５８】
図２は本出願の実施形態による情報伝送方法２００の概略フローチャートである。前記方法２００は図１に示す通信システム１００での端末装置によって実行されてもよく、図２に示すように、前記方法２００は次の内容を含むことができる。
【００５９】
Ｓ２１０において、端末装置は、ネットワーク装置から送信された第一の情報を受信する。
【００６０】
Ｓ２２０において、前記端末装置は、前記第一の情報に基づき、アップリンク伝送リソースにおける、アップリンク制御情報を伝送するための第一のリソースを確定する。
【００６１】
Ｓ２３０において、前記端末装置は、前記第一のリソースに基づき、前記アップリンク制御情報を伝送する。
【００６２】
したがって、本出願の実施形態による情報伝送方法では、端末装置は、ネットワーク装置によって配置された第一の情報に基づき、アップリンク伝送リソースにおける、アップリンク制御情報伝送のためのリソースを確定することができ、さらに、端末装置は、アップリンク制御情報伝送のためのリソースで前記アップリンク制御情報を伝送するように構成されてもよい。これにより、アップリンク制御情報とアップリンクデータ伝送の衝突問題を回避することに有利である。
【００６３】
限定ではなく例として、前記アップリンク制御情報（ＵＣＩ：Ｕｐｌｉｎｋ  Ｃｏｎｔｒｏｌ  Ｉｎｆｏｒｍａｔｉｏｎ）は、
ハイブリッド自動再送リクエスト確認（ＨＡＲＱ  −ＡＣＫ：Ｈｙｂｒｉｄ  Ａｕｔｏｍａｔｉｃ  Ｒｅｐｅａｔ  ｒｅＱｕｅｓｔ  ＡＣＫｎｏｗｌｅｄｇｅｍｅｎｔ）情報、チャネル品質指示（ＣＱＩ：Ｃｈａｎｎｅｌ  Ｑｕａｌｉｔｙ  Ｉｎｄｉｃａｔｉｏｎ）、プリコーディングマトリックス指示（ＰＭＩ：Ｐｒｅｃｏｄｉｎｇ  Ｍａｔｒｉｘ  Ｉｎｄｉｃａｔｉｏｎ）、ランクランク指示（ＲＩ：Ｒａｎｋ  Ｉｎｄｉｃａｔｉｏｎ）、チャネル状態情報基準信号リソース指示（ＣＲＩ：Ｃｈａｎｎｅｌ  ｓｔａｔｅ  ｉｎｆｏｒｍａｔｉｏｎ  ｒｅｆｅｒｅｎｃｅ  ｓｉｇｎａｌ  Ｒｅｓｏｕｒｃｅ  Ｉｎｄｉｃａｔｏｒ）、最強層指示（ＳＬＩ：Ｓｔｒｏｎｇｅｓｔ  Ｌａｙｅｒ  Ｉｎｄｉｃａｔｉｏｎ）、レイヤ１基準信号受信電力（Ｌ１−ＲＳＲＰ：Ｌａｙｅｒ１−Ｒｅｆｅｒｅｎｃｅ  Ｓｉｇｎａｌ  Ｒｅｃｅｉｖｅｄ  Ｐｏｗｅｒ）のうちの少なくとも１つを含む。
【００６４】
選択可能に、本出願の実施形態では、前記アップリンク伝送リソースは半永続的リソースであってもよく、例えば、前記アップリンク伝送リソースは、非動的スケジュール伝送のための時間領域リソース、周波数領域又はコード領域リソースなどを含むことができ、本出願の実施形態はこれに限定されない。
【００６５】
選択可能に、本出願の実施形態では、前記第一の情報は、半永続的リソースに専属してもよく、即ち前記第一の情報は、半永続的リソースの配信構成のみに用いられてもよく、又は帯域幅部分（ＢＷＰ：ＢａｎｄＷｉｄｔｈパーツ）に専属してもよく、又は搬送波に専属してもよく、本出願の実施形態はこれに限定されない。
【００６６】
選択可能に、前記第一の情報は、明示的に示されてもよく、例えば、表示コマンド（例えば上位層シグナリング又は物理層シグナリングなど）によって端末装置に前記第一の情報を配置することができ、又は、暗黙的に示してもよく、例えば、特定の状況又は特定の場合で、前記第一の情報は、既存の情報又はシグナリングによって示されてもよく、本出願の実施形態はこれに限定されない。
【００６７】
選択可能に、いくつかの実施形態では、前記第一の情報は、
アップリンク伝送リソースでアップリンク制御情報を伝送できるか否か、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプのうちの少なくとも１つを示すことに用いられてもよい。
【００６８】
説明すべきこととして、本出願の実施形態では、前記伝送可能なアップリンク制御情報のビット数は、ＵＣＩの伝送に利用可能な最大ビット数であってもよく、又はＵＣＩの伝送に実際に用いられるビット数であってもよく、本出願の実施形態はこれに限定されない。
【００６９】
理解すべきこととして、以上に前記第一の情報によって示される内容は、例だけであり、前記第一の情報は、他の情報を示すことに用いられてもよく、前記第一の情報はアップリンク伝送リソースにおけるアップリンク制御情報の伝送のためのリソースを確定することに利用可能であれば、全て本出願の実施形態の保護範囲に含まれる。
【００７０】
即ち、前記第一の情報はアップリンク伝送リソースにおける、ＵＣＩを伝送するためのリソースを確定することに用いられてもよく、したがって、端末装置は、前記第一の情報に基づき、アップリンク伝送リソースがＵＣＩを伝送できるか否かを確定することができ、ＵＣＩの伝送に利用可能な場合、さらに、前記ＵＣＩの送信方式を確定することができ、選択可能に、前記端末装置は、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプなどの情報のうちの少なくとも１つに基づいて前記ＵＣＩの送信方式を確定することができる。選択可能に、前記ＵＣＩの送信方式は、送信待ちＵＣＩの全てのビットを伝送すること、又は送信待ちＵＣＩを処理して再送信することを含むことができる。
【００７１】
理解すべきこととして、本出願の実施形態では、送信待ちＵＣＩに対する処理にはゼロパディング、繰り返し、圧縮、多重化と破棄などの処理方式が含まれるが、これらに限定されなく、例えば、送信待ちＵＣＩに対する処理には前記ＵＣＩに対する圧縮が含まれてもよく、ここでの圧縮は、コードブックグループ（ＣＢＧ：Ｃｏｄｅ  Ｂｌｏｃｋ  Ｇｒｏｕｐ）、空間領域、搬送波領域又は時間領域のうちの少なくとも１つの次元から前記ＵＣＩを圧縮させることであってもよく、即ちＣＢＧ、空間、搬送波又は時間を単位としてＵＣＩを圧縮させることができ、例えば、同一の搬送波に属するＵＣＩを圧縮し、又は同一のＣＢＧに属するＵＣＩを圧縮させることができ、又は、送信待ちＵＣＩに対する処理には前記ＵＣＩに対する破棄処理が含まれてもよく、例えば、最終的に伝送されるＵＣＩが伝送可能な最大ビット数以下になるように、送信待ちＵＣＩの部分のビットに対して破棄処理を行うことができ、又は、最終的に伝送されるＵＣＩが伝送可能な最大ビット数以下になるように、他の方式を用いて前記ＵＣＩを処理することもでき、本出願の実施形態では前記ＵＣＩに対する処理方式が特に限定されない。
【００７２】
以下に図３と図４に示す具体的な例を組み合わせ、前記ＵＣＩをＨＡＲＱ−ＡＣＫ情報としてＵＣＩに対する処理方式を説明する。
【００７３】
例えば、１３ビットのＨＡＲＱ−ＡＣＫ情報がフィードバックされる場合、アップリンク伝送リソースが２ビットのＨＡＲＱ−ＡＣＫ情報のみを伝送できないと、端末装置は、前記１３ビットのＨＡＲＱ−ＡＣＫ情報を圧縮させることができ、例えば、時間領域に従って前記１３ビットのＨＡＲＱ−ＡＣＫ情報を圧縮させることができ、図３に示すように、コンポーネント搬送波（ＣＣ：Ｃｏｍｐｏｎｅｎｔ  Ｃａｒｒｉｅｒ）１上の伝送ブロック（ＴＢ：Ｔｒａｎｓｍｉｔ  Ｂｌｏｃｋ）とＴＢ４、ＣＣ２上のＴＢ２及びＴＢ５、ＣＣ３上のＴＢ３及びＴＢ６とＣＣ４上のＴＢ７におけるＨＡＲＱ−ＡＣＫ情報を１ビットのＵＣＩに圧縮させて伝送し、ＣＣ１情報のＴＢ８、ＣＣ２上のＴＢ１１、ＣＣ３上のＴＢ９及びＴＢ１２とＣＣ４上のＴＢ１０及びＴＢ１３におけるＨＡＲＱ−ＡＣＫ情報を１ビットのＵＣＩに圧縮させて伝送することができる。
【００７４】
又は、図４に示すように、前記１３ビットのＨＡＲＱ−ＡＣＫ情報における最後の１１ビットを破棄し、先頭の２ビットの情報のみを伝送し、即ちＣＣ１上のＴＢ１及びＴＢ４におけるＨＡＲＱ−ＡＣＫ情報のみを伝送することができる。
【００７５】
以下に具体的な実施形態を組み合わせて前記第一の情報の指示方式を詳しく説明する。
【００７６】
実施形態１において、前記第一の情報は、前記アップリンク伝送リソースにおける、アップリンク制御情報の伝送に利用可能なリソースの数を示すことに用いられる。
【００７７】
例えば、前記第一の情報によって示される、アップリンク制御情報の伝送に利用可能なリソースの数がＮであり、即ちネットワーク装置によって端末装置に配置された前記アップリンク伝送リソースにおける、ＵＣＩの伝送に利用可能なリソースの数がＮである場合、前記端末装置は、前記リソースの数ＮとＵＣＩ伝送のためのＭＣＳ  ｏｆｆｓｅｔに基づき、伝送可能なＵＣＩの最大ビット数Ｍを確定することができ、さらに、前記端末装置は、送信待ちＵＣＩのビット数Ｌと前記最大ビット数Ｍに基づいて前記ＵＣＩの送信方式を確定することができ、例えば、Ｌ≦Ｍの場合、即ち前記アップリンク伝送リソースにおける、ＵＣＩの伝送に利用可能な最大ビット数が前記送信待ちＵＣＩの全てのビットの伝送に十分である場合、前記端末装置はＵＣＩの全てのビットを送信することができ、又は、Ｌ＞Ｍの場合、前記端末装置は、最終的に伝送されるＵＣＩに占有されたビット数が前記最大ビット数Ｍ以下になるように、送信待ちＵＣＩを処理することができ、その後、処理されたＵＣＩを送信し、即ち最終的に伝送されるＵＣＩのビット数が送信待ちＵＣＩのビット数Ｌと伝送可能なＵＣＩの最大ビットＭのうちの最小値であり、前記ＵＣＩに対する処理方式について以上の関連説明を参照することができ、ここで説明を省略する。
【００７８】
実施形態２において前記第一の情報は、ＭＣＳ  ｏｆｆｓｅｔを示すための既存の指示フィールドに搬送されてもよい。
【００７９】
即ちネットワーク装置はＭＣＳ  ｏｆｆｓｅｔを示すための既存の指示フィールドを多重化して前記第一の情報を搬送することができ、したがって、ＭＣＳ  ｏｆｆｓｅｔを示すための前記指示フィールドは、ＭＣＳ  ｏｆｆｓｅｔだけでなく、前記第一の情報を示すことに用いられてもよい。これにより、端末装置は、ＭＣＳ  ｏｆｆｓｅｔを示すための前記指示フィールドから前記ＭＣＳ  ｏｆｆｓｅｔと前記第一の情報を取得し、さらに前記指示フィールドに搬送された前記第一の情報に基づき、アップリンク伝送リソースでＵＣＩを送信することができるか否かを確定することができ、前記アップリンク伝送リソースでＵＣＩを伝送することができることを確定する場合、さらに、前記端末装置は前記第一の情報に基づいてＵＣＩの送信方式を確定することができる。
【００８０】
したがって、既存の指示フィールドを多重化して前記第一の情報を搬送することにより、シグナリングオーバーヘッドを節約することができ、同時に、ＵＣＩのＭＣＳ  ｏｆｆｓｅｔの柔軟な配置を実現することができ、例えば、ＵＣＩの制限される伝送を実現することができる。これにより、ＵＣＩとアップリンクデータの両方がＰＵＳＣＨで伝送される場合の衝突問題を回避することができ、アップリンクデータ伝送の信頼性を保証することができる。
【００８１】
選択可能に、本出願の実施形態では、前記第一の情報は、ＭＣＳ  ｏｆｆｅｓｅｔを示すための既存の指示フィールドの長さを増加することで搬送されてもよく、又は前記第一の情報は、ＭＣＳ  ｏｆｆｓｅｔを示すための前記既存の指示フィールドにおける予約ビットで搬送されてもよく、本出願の実施形態はこれに限定されない。
【００８２】
制限ではなく例として、前記第一の情報の指示方式は以下の状況を含むことができる。
【００８３】
状況１において、ＭＣＳ  ｏｆｆｅｓｅｔを示すための前記指示フィールドのオフセット値が第一の条件を満たしている場合、前記アップリンク伝送リソースでＵＣＩを伝送することができないことを示すことに用いられてもよく、端末装置はＵＣＩに対応する指示フィールドのオフセット値が第一の条件を満たしていることを確定する場合、アップリンク伝送リソースでＵＣＩを伝送することができないことを確定することができる。
【００８４】
選択可能に、ＭＣＳ  ｏｆｆｅｓｅｔを示すための指示フィールドのオフセット値が第一の条件を満たしていることは、ＭＣＳ  ｏｆｆｅｓｅｔを示すための前記指示フィールドのオフセット値がゼロであり、又は特定の意味を有する値、例えば予約値（Ｒｅｓｅｒｖｅｄ）などであってもよいことを含むことができ、本出願の実施形態はこれに限定されない。
【００８５】
状況２において、ＭＣＳ  ｏｆｆｅｓｅｔを示すための前記指示フィールドのオフセット値が第二の条件を満たしている場合、アップリンク制御情報の伝送に利用可能なリソースの割合を示すことに用いられてもよく、端末装置は、ＵＣＩに対応する指示フィールドのオフセット値が前記第二の条件を満たしていることを確定する場合、アップリンク伝送リソースにおいて、前記リソースの割合以下のアップリンク伝送リソースでＵＣＩを伝送することを確定することができる。
【００８６】
選択可能に、ＭＣＳ  ｏｆｆｅｓｅｔを示すための指示フィールドのオフセット値が第二の条件を満たしていることは、ＭＣＳ  ｏｆｆｅｓｅｔを示すための前記指示フィールドのオフセット値が１未満の正数であり、特定の意味を有する値、例えば予約値（Ｒｅｓｅｒｖｅｄ）などであってもよいことを含むことができ、本出願の実施形態はこれに限定されない。
【００８７】
例えば、前記第一の情報を搬送するためのＢｅｔａｏｆｆｓｅｔテーブルは、テーブル１に示されてもよく、ここで、ＩがＵＣＩインデックスを表し、ＢｅｔａｏｆｆｓｅｔがＭＣＳ  ｏｆｆｓｅｔを表し、前記アップリンク伝送リソースのリソース数が１００でああると、前記ＵＣＩインデックスに応じて対応するリソースの割合の値が０．１であることを確定する場合、前記端末装置は、ＵＣＩの伝送のためのリソースの数が最大１０であることを確定することができ、さらに、前記端末装置は、確定されたアップリンク伝送リソース及びＭＣＳ  ｏｆｆｓｅｔに基づいてＵＣＩの送信方式を確定することができ、ここで説明を省略する。
【００８８】
【表１】
2021517756.tif 000003
【００８９】
状況３において、ＭＣＳ  ｏｆｆｅｓｅｔを示すための前記指示フィールドのオフセット値が第三の条件を満たしている場合、前記第一の情報は、ＵＣＩを伝送できる全てのビットを示すことに用いられてもよく、さらに、前記端末装置は、前記ＵＣＩに対応するＭＣＳ  ｏｆｆｓｅｔとアップリンクデータの変調及び符号化方式に従ってＵＣＩの変調及び符号化方式を確定することができる。これにより、端末装置は、送信待ちＵＣＩの変調符号化方式に従って前記ＵＣＩのビット数を組み合わせ、前記送信待ちＵＣＩを伝送することができ、ここでは、具体的な実現プロセスについて説明を省略する。
【００９０】
選択可能に、ＭＣＳ  ｏｆｆｅｓｅｔを示すための指示フィールドのオフセット値が第三の条件を満たしていることは、ＭＣＳ  ｏｆｆｅｓｅｔを示すための前記指示フィールドのオフセット値が１よりも大きい正数であり、特定の意味を有する値、例えば予約値（Ｒｅｓｅｒｖｅｄ）などであってもよいことを含むことができ、本出願の実施形態はこれに限定されない。
【００９１】
理解すべきこととして、以上に前記第一の情報に対する指示方式が例だけであり、本出願の実施形態では、ＵＣＩが制限方式で伝送されるか、非制限方式で伝送されるかは、他の方式によって示されてもよく、本出願の実施形態では前記第一の情報の指示方式が限定されない。
【００９２】
実施形態３において、ＭＣＳ  ｏｆｆｅｓｅｔを示すための前記指示フィールドは状況に応じてＭＣＳ  ｏｆｆｅｓｅｔと前記第一の情報を示す。
【００９３】
即ち既存のＢｅｔａｏｆｆｓｅｔを用いてＭＣＳ  ｏｆｆｅｓｅｔ又は前記第一の情報を示すことができるが、前記ＢｅｔａｏｆｆｓｅｔがＭＣＳ  ｏｆｆｅｓｅｔを示すか、前記前記第一の情報を示すかは、それぞれ異なる状況、又は異なるシーンに対応することができ、このようにして、特定の配置情報に基づいて前記指示フィールドに対して情報解析を行うことができ、例えば、データチャネルのタイプ、データ伝送のための時間領域長さなどの配置情報に基づき、前記ＢｅｔａｏｆｆｓｅｔがＭＣＳ  ｏｆｆｅｓｅｔを示すか、前記前記第一の情報を示すかを確定することができ、本出願の実施形態はこれに限定されない。
【００９４】
例えば、前記ＢｅｔａｏｆｆｓｅｔがＭＣＳ  ｏｆｆｅｓｅｔを示すこと、又は前記Ｂｅｔａｏｆｆｓｅｔが前記第一の情報を示すことは、それぞれ異なるデータチャネルのタイプに対応することができ、例えば、データチャネルのタイプがＴｙｐｅＡ（例えばミニスロットタイプ）である場合、前記Ｂｅｔａｏｆｆｓｅｔは、ＭＣＳ  ｏｆｆｅｓｅｔを示すことに用いられてもよく、データチャネルのタイプがＴｙｐｅＢ（例えばスロットタイプ）である場合、前記Ｂｅｔａｏｆｆｓｅｔは、第一の情報を示すことに用いられてもよく、前記端末装置は、データチャネルのタイプがＴｙｐｅＡである時に、前記Ｂｅｔａｏｆｆｓｅｔの情報をＭＣＳ  ｏｆｆｅｓｅｔとして解析し、データチャネルのタイプがＴｙｐｅＢである時に、前記Ｂｅｔａｏｆｆｓｅｔの情報を第一の情報として解析することができる。
【００９５】
また、例えば、前記ＢｅｔａｏｆｆｓｅｔがＭＣＳ  ｏｆｆｅｓｅｔを示すこと、又は前記Ｂｅｔａｏｆｆｓｅｔが前記第一の情報を示すことは、それぞれデータ伝送のための異なる時間領域長さに対応することができ、例えば、データ伝送のための時間領域長さが第一の長さ範囲に含まれる場合、前記Ｂｅｔａｏｆｆｓｅｔは、ＭＣＳ  ｏｆｆｅｓｅｔを示すことに用いられ、データ伝送のための時間領域長さが第二の長さ範囲に含まれる場合、前記Ｂｅｔａｏｆｆｓｅｔは、第一の情報を示すことに用いられてもよく、前記端末装置は、データ伝送のための時間領域長さが第一の長さ範囲に含まれる時に、前記Ｂｅｔａｏｆｆｓｅｔの情報をＭＣＳ  ｏｆｆｅｓｅｔとして解析し、データ伝送のための時間領域長さが第二の長さ範囲に含まれる時に、前記Ｂｅｔａｏｆｆｓｅｔの情報を前記第一の情報として解析することができる。
【００９６】
説明すべきこととして、ＢｅｔａｏｆｆｓｅｔがＭＣＳ  ｏｆｆｅｓｅｔを示すか、前記第一の情報を示すかを確定する上記方式は例だけであり、本出願の実施形態では、前記ＢｅｔａｏｆｆｓｅｔがＭＣＳ  ｏｆｆｅｓｅｔを示すか、前記第一の情報を示すかは、他の情報に基づいて確定されてもよく、本実施形態はこれに限定されない。
【００９７】
実施形態４において、ＭＣＳ  ｏｆｆｅｓｅｔを示すための前記指示フィールドの第一の部分の値は、伝送が制限されるアップリンク制御情報を示すことに用いられてもよく、ＭＣＳ  ｏｆｆｅｓｅｔを示すための前記指示フィールドの第一の部分の値は、伝送が制限されていないアップリンク制御情報を示すことに用いられる。
【００９８】
つまり、Ｂｅｔａｏｆｆｓｅｔの第一の部分の値は、どのＵＣＩが、伝送が制限される方式を用いて送信されるかを確定することに用いられてもよく、第二の部分の値は、どのＵＣＩが、伝送が制限されていない方式を用いて送信されるかを確定することに用いられてもよく、即ち前記ＵＣＩの全てのビットを送信することができる。
【００９９】
説明すべきこととして、ここで伝送が制限される方式は、前記送信待ちＵＣＩを処理した後、前記処理されたＵＣＩを送信することであってもよく、ここでの処理にはゼロパディング、繰り返し、圧縮、多重化と破棄などの処理方式が含まれるが、これらに限定されない。
【０１００】
例えば、テーブル１は、ＵＣＩインデックス０−３のＵＣＩが、伝送が制限される方式を用いて伝送され、ＵＣＩインデックス４−１５のＵＣＩが、伝送が制限されていない方式を用いて伝送され、即ち前記ＵＣＩを処理せずに前記ＵＣＩの全てのビットを伝送することを示すことに用いられてもよい。
【０１０１】
実施形態５において、第二のＵＣＩの、ＭＣＳ  ｏｆｆｅｓｅｔを示すための指示フィールドに従って前記第一のＵＣＩに対応する第一の情報を確定する。
【０１０２】
本出願の実施形態では、複数のＵＣＩが存在すれば、各ＵＣＩがそれぞれの、ＭＣＳ  ｏｆｆｅｓｅｔを示すための指示フィールドに対応することができ、例えば、前記複数のＵＣＩが第一のＵＣＩと第二のＵＣＩを含み、前記第二のＵＣＩの前記指示フィールドが前記第二のＵＣＩを伝送するためのＭＣＳ  ｏｆｆｅｓｅｔを示すことに用いられてもよく、前記実施形態５では、前記第二のＵＣＩの指示フィールドはさらに前記第一のＵＣＩの伝送方式を確定し、例えば伝送が制限される方式を用いるか、伝送が制限されていない方式を用いるかを確定し、伝送が制限される方式を用いると、伝送を制限するためのビット数情報などを確定することに用いられてもよい。
【０１０３】
例えば、第二のＵＣＩの指示フィールドによって示されるオフセット値がある条件を満たしている時に、第一のＵＣＩが、伝送が制限される方式を用いて伝送されることを示すことができ、さらに、伝送を制限するためのビット数情報などを示すことに用いられてもよく、又は、第二のＵＣＩの指示フィールドによって示されるオフセット値がある条件を満たしている場合、前記第一のＵＣＩが、制限されていない伝送の方式を用いることなどを示す。
【０１０４】
以下に実施形態６から実施形態８を組み合わせ、前記第一のＵＣがＨＡＲＱ−ＡＣＫ情報であり、前記第二のＵＣＩがＣＳＩであることを例として、前記第一の情報の指示方式を説明し、当然ながら、前記第一のＵＣＩと前記第二のＵＣＩが他のＵＣＩであってもよく、本出願の実施形態はこれに限定されない。
【０１０５】
区分及び理解を容易にするために、前記第一のＵＣＩに対応する指示フィールドは第一の指示フィールドとして記述され、前記第二のＵＣＩに対応する指示フィールドは第二の指示フィールドとして記述される。
【０１０６】
実施形態６において、前記第一の指示フィールドと前記第二の指示フィールドの両方はオフセット値が０である構成を含む。
【０１０７】
理解すべきこととして、本出願の実施形態では、ＭＣＳ  ｏｆｆｅｓｅｔを示すための前記指示フィールドは、一つのＭＣＳオフセットテーブルであってもよく、制限ではなく例として、ＨＡＲＱ−ＡＣＫ情報に対応するＭＣＳ  ｏｆｆｅｓｅｔテーブルは、テーブル２に示されてもよく、ＣＳＩに対応するＭＣＳ  ｏｆｆｅｓｅｔテーブルは、テーブル３に示されてもよい。ここで、テーブル２では、Ｉ＿ＨＡＲＱ−ＡＣＫがＨＡＲＱ−ＡＣＫ情報のインデックスであり、Ｂｅｔａｏｆｆｓｅｔ＿ＨＡＲＱ−ＡＣＫがＨＡＲＱ−ＡＣＫ情報に対応するＭＣＳ  ｏｆｆｅｓｅｔであり、テーブル３では、Ｉ＿ＣＳＩがＣＳＩのインデックスであり、Ｂｅｔａｏｆｆｓｅｔ＿ＣＳＩがＣＳＩのＭＣＳ  ｏｆｆｓｅｔである。
【０１０８】
選択可能に、前記実施形態では、第二の指示フィールドのオフセット値が第一の特定条件を満たしている場合、アップリンク伝送リソースで、伝送が制限される方式を用いて前記第一のＵＣＩを伝送する（方式１と記述される）ことを示すことに用いられてもよく、又は、第二の指示フィールドのオフセット値が第二の特定条件を満たしている場合、アップリンク伝送リソースで、伝送が制限されていない方式を用いて前記第一のＵＣＩを伝送する（方式２と記述される）ことを示すことに用いられてもよく、又は、第一の指示フィールドのオフセット値が第三の特定条件を満たしている場合、アップリンク伝送リソースで、伝送が制限される方式を用いて前記第二のＵＣＩを伝送する（方式３と記述される）ことを示すことに用いられてもよい。
【０１０９】
以下、第二の指示フィールドのオフセット値が第一の特定条件を満たしていることが前記第二の指示フィールドのＢｅｔａｏｆｆｓｅｔが０であることであり、第二の指示フィールドのオフセット値が第二の特定条件を満たしていることが前記第二の指示フィールドのＢｅｔａｏｆｆｓｅｔが０よりも大きいことであり、前記第一の指示フィールドのオフセット値が第三の特定条件を満たしていることが前記第一の指示フィールドのオフセット値が０であることであることを説明し、本出願の実施形態はこれに限定されない。
【０１１０】
方式１において、Ｉ＿ＣＳＩに対応するＢｅｔａｏｆｆｓｅｔ＿ＣＳＩの値が０である場合、ＨＡＲＱ−ＡＣＫ情報のみを伝送することを示すことに用いられてもよく、さらに、前記ＨＡＲＱ−ＡＣＫ情報が、伝送が制限される伝送方式を用いて伝送されることを示すことに用いられてもよく、例えば、伝送が制限されるＨＡＲＱ−ＡＣＫ情報の最大ビット数がＮであってもよく、例えば、前記Ｎが２であってもよく、伝送が制限される前記最大ビット数Ｎに基づき、前記ＨＡＲＱ−ＡＣＫ情報に対応するＭＣＳ  ｏｆｆｓｅｔテーブルにおけるＢｅｔａｏｆｆｓｅｔ＿ＨＡＲＱ−ＡＣＫを組み合わせてＨＡＲＱ−ＡＣＫ情報を伝送することができ、具体的なプロセスについては、ここで説明を省略する。
【０１１１】
方式２において、Ｉ＿ＣＳＩに対応するＢｅｔａｏｆｆｓｅｔ＿ＣＳＩの値が０よりも大きい場合、前記端末装置は、ＨＡＲＱ−ＡＣＫ情報を伝送するためのビット数が制限されないことを確定することができ、即ち送信待ちＨＡＲＱ−ＡＣＫ情報の実際のビット数に従って前記ＨＡＲＱ−ＡＣＫ情報を伝送することができ、ここで、ＨＡＲＱ−ＡＣＫ情報を伝送するためのＭＣＳレベルがテーブル２に示されるＢｅｔａｏｆｆｓｅｔ＿ＨＡＲＱ−ＡＣＫに基づいて確定されてもよく、ＣＳＩを伝送するためのＭＣＳレベルがテーブル３に示すＢｅｔａｏｆｆｓｅｔ＿ＣＳＩに基づいて確定されてもよい。
【０１１２】
方式３において、Ｉ＿ＨＡＲＱ−ＡＣＫに対応するＢｅｔａｏｆｆｓｅｔ＿ＨＡＲＱ−ＡＣＫの値が０である場合、前記端末装置は、前記ＨＡＲＱ−ＡＣＫ情報を伝送しないことを確定することができ、この場合、さらに伝送が制限される方式を用いてＣＳＩを伝送することを確定することができる。
【０１１３】
したがって、実施形態６では、前記第一の情報が交差隠し方式で示されてもよく、前記第一の情報への指示の柔軟性が向上し、前記指示方式により、ＨＡＲＱ−ＡＣＫとＣＳＩの伝送が同時に制限されてもよく、アップリンクデータ伝送の信頼性の保証に役立つ。
【０１１４】
そして、ＣＳＩの重要性／緊急度がＨＡＲＱ−ＡＣＫ情報よりも低いため、本出願の実施形態ではＣＳＩ伝送の制限が優先的に考えられ、それによって伝送リソースが限られている場合、ＣＳＩ情報が優先的に破棄され、ＨＡＲＱ−ＡＣＫ情報の伝送を保証し、ダウンリンク伝送効率の最大化を達成できる。
【０１１５】
また、ＨＡＲＱ−ＡＣＫ伝送のためのビット数／伝送リソースをＣＳＩの指示フィールドによって明示的又は暗黙的に制限することにより、複数の伝送方式、例えばＣＳＩとＨＡＲＱ−ＡＣＫの両方がニューズに応じて伝送される（即ち制限されない伝送）こと、ＣＳＩが伝送されないこと、ＡＨＡＲＱ−ＡＣＫの伝送が制限されること、ＣＳＩとＨＡＲＱ−ＡＣＫの両方が伝送されないことなどを実現することができる。これにより、アップリンク伝送の信頼性とダウンリンク伝送の伝送効率の折衷を実現することができる。
【０１１６】
【表２】
2021517756.tif 000004
【０１１７】
【表３】
2021517756.tif 000005
【０１１８】
実施形態７において、前記第一の指示フィールドと前記第二の指示フィールドで１つだけの指示フィールドは、Ｂｅｔａｏｆｆｓｅｔの値が０である構成を含む。
【０１１９】
理解すべきこととして、本出願の実施形態では、ＭＣＳ  ｏｆｆｅｓｅｔを示すための前記指示フィールドは一つのＭＣＳオフセットテーブルであってもよく、制限ではなく例として、ＨＡＲＱ−ＡＣＫ情報に対応するＭＣＳ  ｏｆｆｅｓｅｔテーブルはテーブル４に示されてもよく、ＣＳＩに対応するＭＣＳ  ｏｆｆｅｓｅｔテーブルはテーブル３に示されてもよい。ここで、テーブル４では、Ｉ＿ＨＡＲＱ−ＡＣＫがＨＡＲＱ−ＡＣＫ情報のインデックスであり、Ｂｅｔａｏｆｆｓｅｔ＿ＨＡＲＱ−ＡＣＫがＨＡＲＱ−ＡＣＫ情報に対応するＭＣＳ  ｏｆｆｅｓｅｔであり、ＣＳＩに対応するＭＣＳ  ｏｆｆｅｓｅｔテーブル、即ちテーブル３に、Ｂｅｔａｏｆｆｓｅｔの値が０である構成が含まれる。
【０１２０】
選択可能に、前記実施形態７では、第二の指示フィールドのオフセット値が第四の特定条件を満たしている場合、アップリンク伝送リソースで、伝送が制限される方式を用いて前記第一のＵＣＩを伝送する（方式４と記述される）ことを示すことに用いられてもよく、又は、第二の指示フィールドのオフセット値が第五の特定条件を満たしている場合、アップリンク伝送リソースで、伝送が制限されていない方式を用いて前記第一のＵＣＩを伝送する（方式５と記述される）ことを示すことに用いられてもよい。
【０１２１】
以下に第二の指示フィールドのオフセット値が第四の特定条件を満たしていることが前記第二の指示フィールドのＢｅｔａｏｆｆｓｅｔが０であることであり、第二の指示フィールドのオフセット値が第五の特定条件を満たしていることが前記第二の指示フィールドのＢｅｔａｏｆｆｓｅｔが０よりも大きいことであることを説明し、当然ながら、本出願の実施形態はこれに限定されない。
【０１２２】
方式４において、Ｉ＿ＣＳＩに対応するＢｅｔａｏｆｆｓｅｔ＿ＣＳＩの値が０である場合、ＨＡＲＱ−ＡＣＫ情報のみを伝送することを示すことに用いられてもよく、且つＨＡＲＱ−ＡＣＫ情報を伝送するための最大ビット数がＮであってもよく、例えば前記Ｎが２であってもよく、ここで、ＨＡＲＱ−ＡＣＫ情報を伝送するためのＭＣＳレベルについて前記ＨＡＲＱ−ＡＣＫ情報に対応するＢｅｔａｏｆｆｓｅｔ＿ＨＡＲＱ−ＡＣＫ、例えば、テーブル４におけるＢｅｔａｏｆｆｓｅｔ＿ＨＡＲＱ−ＡＣＫを参照することができる。
【０１２３】
方式５において、Ｉ＿ＣＳＩに対応するＢｅｔａｏｆｆｓｅｔ＿ＣＳＩの値が０よりも大きい場合、ＨＡＲＱ−ＡＣＫ情報を伝送するためのビット数が制限されなく、即ち送信待ちＨＡＲＱ−ＡＣＫ情報の実際のビット数に従って前記ＨＡＲＱ−ＡＣＫ情報を伝送し、即ちＨＡＲＱ−ＡＣＫ情報を伝送するための全てのビットに従って前記ＨＡＲＱ−ＡＣＫ情報を伝送することができ、ここで、ＨＡＲＱ−ＡＣＫ情報を伝送するためのＭＣＳレベルがテーブル４に示されるＢｅｔａｏｆｆｓｅｔ＿ＨＡＲＱ−ＡＣＫに基づいて確定されてもよく、ＣＳＩを伝送するためのＭＣＳレベルがテーブル５に示すＢｅｔａｏｆｆｓｅｔ＿ＣＳＩに基づいて確定されてもよい。
【０１２４】
したがって、実施形態７では、前記第一の情報が交差隠し方式で示されてもよく、前記第一の情報への指示の柔軟性が向上し、前記指示方式により、ＨＡＲＱ−ＡＣＫとＣＳＩの伝送が同時に制限されてもよく、アップリンクデータ伝送の信頼性の保証に役立つ。
【０１２５】
そして、ＣＳＩの重要性／緊急度がＨＡＲＱ−ＡＣＫ情報よりも低いため、本出願の実施形態ではＣＳＩ伝送の制限が優先的に考えられ、それによって伝送リソースが限られている場合、ＣＳＩ情報が優先的に破棄され、ＨＡＲＱ−ＡＣＫ情報の伝送を保証し、ダウンリンク伝送効率の最大化を達成できる。
【０１２６】
また、ＨＡＲＱ−ＡＣＫ伝送のためのビット数／伝送リソースをＣＳＩの指示フィールドによって明示的又は暗黙的に制限することにより、複数の伝送方式、例えばＣＳＩとＨＡＲＱ−ＡＣＫの両方がニューズに応じて伝送される（即ち制限されない伝送）こと、ＣＳＩが伝送されないこと、ＡＨＡＲＱ−ＡＣＫの伝送が制限されること、ＣＳＩとＨＡＲＱ−ＡＣＫの両方が伝送されないことなどを実現することができる。これにより、アップリンク伝送の信頼性とダウンリンク伝送の伝送効率の折衷を実現することができる。
【０１２７】
一方、実施形態７では、より多くの構成がＨＡＲＱ−ＡＣＫリソース指示に用いられため、ＨＡＲＱ−ＡＣＫ指示の柔軟性が向上する。
【０１２８】
【表４】
2021517756.tif 000006
【０１２９】
実施形態８では、前記第一の指示フィールドと前記第二の指示フィールドにおける第一の指示フィールドには複数のＭＣＳ  ｏｆｆｓｅｔテーブルが含まれる。
【０１３０】
前記実施形態８では、前記第一の指示フィールドには複数のＭＣＳオフセットテーブルが含まれてもよく、各ＭＣＳオフセットテーブルが異なる状況、又は異なるシーンに対応することができ、例えば、信頼性要求が高いアップリンクデータ伝送に対して、オフセット（ｏｆｆｓｅｔ）範囲を小さくし、粒度を細かくする必要があり、この場合、前記複数のＭＣＳオフセットテーブルのうち、オフセット（ｏｆｆｓｅｔ）範囲が小さく、粒度が細かいＭＣＳオフセットテーブルを用いることができ、又は、信頼性要求が高くないアップリンクデータ伝送に対して、前記複数のＭＣＳオフセットテーブルのうち、オフセット（ｏｆｆｓｅｔ）範囲が大きく、粒度が粗いＭＣＳオフセットテーブルを用いることができる。
【０１３１】
以下に前記第一の指示フィールドに２つのＭＣＳオフセット（ｏｆｆｓｅｔ）テーブルが含まれることを例として説明し、当然ながら、前記第一の指示フィールドにもより多くのＭＣＳオフセット（ｏｆｆｓｅｔ）テーブルが含まれてもよく、前記第一の指示フィールドにより多くのＭＣＳオフセット（ｏｆｆｓｅｔ）テーブルが含まれる場合の指示方式が同様であるため、ここで説明を省略する。
【０１３２】
制限ではなく例として、テーブル１とテーブル４は、ＨＡＲＱ−ＡＣＫ情報に対応する２つのＭＣＳオフセット（ｏｆｆｓｅｔ）テーブルであってもよく、それぞれテーブルａとテーブルｂとして記述される。
【０１３３】
選択可能に、前記実施形態８では、第二の指示フィールドのオフセット値が第六の特定条件を満たしている場合、アップリンク伝送リソースで、伝送が制限される方式を用いて前記第一のＵＣＩを伝送する（方式６と記述される）ことを示すことに用いられてもよく、又は、第二の指示フィールドのオフセット値が第七の特定条件を満たしている場合、アップリンク伝送リソースで、伝送が制限されていない方式を用いて前記第一のＵＣＩを伝送する（方式７と記述される）ことを示すことに用いられてもよい。
【０１３４】
以下に第二の指示フィールドのオフセット値が第六の特定条件を満たしていることが前記第二の指示フィールドのＢｅｔａｏｆｆｓｅｔが０であることであり、第二の指示フィールドのオフセット値が第七の特定条件を満たしていることが前記第二の指示フィールドのＢｅｔａｏｆｆｓｅｔが０よりも大きいことであることを説明し、当然ながら、本出願の実施形態はこれに限定されない。
【０１３５】
選択可能に、本出願の実施形態では、前記第一の指示フィールドに含まれる２つのＭＣＳオフセット（ｏｆｆｓｅｔ）テーブルは、テーブルａにおけるＢｅｔａｏｆｆｓｅｔの最大値がテーブルｂにおけるＢｅｔａｏｆｆｓｅｔの最大値よりも小さく、又は、テーブルａにＢｅｔａｏｆｆｓｅｔの値がゼロである構成が含まれることなどの特徴を有することができる。
【０１３６】
方式６において、Ｉ＿ＣＳＩに対応するＢｅｔａｏｆｆｓｅｔ＿ＣＳＩの値が０である場合、ＨＡＲＱ−ＡＣＫ情報のみを伝送することを示すことに用いられてもよく、且つＨＡＲＱ−ＡＣＫ情報を伝送するための最大ビット数がＮであってもよく、例えば前記Ｎが２であってもよく、このシーンで、ＨＡＲＱ−ＡＣＫ情報を伝送するためのＭＣＳレベルについてテーブルａを参照することができる。
【０１３７】
方式７において、Ｉ＿ＣＳＩに対応するＢｅｔａｏｆｆｓｅｔ＿ＣＳＩの値が０よりも大きい場合、ＨＡＲＱ−ＡＣＫ情報を伝送するためのビット数が制限されなく、即ち送信待ちＨＡＲＱ−ＡＣＫ情報の実際のビット数に従って前記ＨＡＲＱ−ＡＣＫ情報を伝送することができ、このシーンで、ＨＡＲＱ−ＡＣＫ情報を伝送するためのＭＣＳレベルについてテーブルｂを参照することができ、ＣＳＩを伝送するためのＭＣＳレベルについてＣＳＩに対応するＭＣＳ  ｏｆｆｓｅｔテーブルを参照することができる。
【０１３８】
したがって、実施形態８では、前記第一の情報が交差隠し方式で示されてもよく、前記第一の情報への指示の柔軟性が向上し、前記指示方式により、ＨＡＲＱ−ＡＣＫとＣＳＩの伝送が同時に制限されてもよく、アップリンクデータ伝送の信頼性の保証に役立つ。
【０１３９】
そして、ＣＳＩの重要性／緊急度がＨＡＲＱ−ＡＣＫ情報よりも低いため、本出願の実施形態ではＣＳＩ伝送の制限が優先的に考えられ、それによって伝送リソースが限られている場合、ＣＳＩ情報が優先的に破棄され、ＨＡＲＱ−ＡＣＫ情報の伝送を保証し、ダウンリンク伝送効率の最大化を達成できる。
【０１４０】
また、ＨＡＲＱ−ＡＣＫ伝送のためのビット数／伝送リソースをＣＳＩの指示フィールドによって明示的又は暗黙的に制限することにより、複数の伝送方式、例えば、ＣＳＩとＨＡＲＱ−ＡＣＫの両方がニューズに応じて伝送される（即ち制限されない伝送）こと、ＣＳＩが伝送されないこと、ＡＨＡＲＱ−ＡＣＫの伝送が制限されること、ＣＳＩとＨＡＲＱ−ＡＣＫの両方が伝送されないことなどを実現することができる。これにより、アップリンク伝送の信頼性とダウンリンク伝送の伝送効率の折衷を実現することができる。
【０１４１】
そして、実施形態８では、１つのＵＣＩが複数のＭＣＳ  ｏｆｆｓｅｔテーブルに対応してもよい。これにより、ＭＣＳ  ｏｆｆｓｅｔの指示範囲がより柔軟になり、且つ複数のシーンに対して適切なＭＣＳ  ｏｆｆｓｅｔテーブルを構成することができ、データ伝送のニーズを満たすことに役立つ。
【０１４２】
実施形態では、前記第一の情報は、ＭＣＳオフセットを示すための複数の指示フィールドに搬送され、前記複数の指示フィールドのうちの各指示フィールドがそれぞれ相応するビット数範囲に対応し、前記ビット数範囲が前記ダウンリンク制御情報の伝送を制限するためのビット数の範囲を示すことに用いられる。
【０１４３】
例えば、前記第一の情報は、３つの指示フィールドに搬送されてもよく、前記３つの指示フィールドのうちの各指示フィールドが相応するビット数範囲に対応することができ、例えば、前記３つの指示フィールドは指示フィールド１、指示フィールド２と指示フィールド３を含むことができ、ここで、前記指示フィールド１に対応するビット数範囲が０〜２であってもよく、即ち最大２ビットのＵＣＩを伝送することができ、前記指示フィールド２に対応するビット数範囲が２よりも大きく且つ１１未満であってもよく、前記指示フィールド３に対応するビット数範囲が１１よりも大きくてもよく、前記３つの指示フィールドのオフセット値を設定することにより、前記ＵＣＩの伝送のためのビット数範囲を示すことができる。
【０１４４】
制限ではなく例として、指示フィールド１、指示フィールド２、指示フィールド３は全てｂｅｔａｏｆｆｓｅｔｄが０である構成を含み、前記指示フィールド１に対応するＭＣＳ  ｂｅｔａｏｆｆｓｅｔテーブルはテーブル５に示されてもよく、指示フィールド２に対応するＭＣＳ  ｂｅｔａｏｆｆｓｅｔテーブルはテーブル６に示されてもよく、指示フィールド３がそれぞれ対応するＭＣＳ  ｂｅｔａｏｆｆｓｅｔテーブルはテーブル７に示されてもよい。
【０１４５】
制限ではなく例として、指示フィールド３と指示フィールド２におけるｂｅｔａｏｆｆｓｅｔが０に設定され、且つ、指示フィールド１におけるｂｅｔａｏｆｆｓｅｔが０よりも大きく設定される場合、最大２ビット（ｂｉｔ）のＨＡＲＱ−ＡＣＫを伝送することを示すことに用いられ、指示フィールド１と指示フィールド２におけるｂｅｔａｏｆｆｓｅｔが０に設定され、且つ指示フィールド３におけるｂｅｔａｏｆｆｓｅｔが０よりも設定される場合、１１ビットよりも大きいＨＡＲＱ−ＡＣＫを伝送できることを示し、指示フィールド１と指示フィールド３におけるｂｅｔａｏｆｆｓｅｔが０に設定され、且つ、指示フィールド２におけるｂｅｔａｏｆｆｓｅｔが０よりも大きく設定される場合、３〜１１ビットのＨＡＲＱ−ＡＣＫを伝送できることを示す。
【０１４６】
【表５】
2021517756.tif 000007
【０１４７】
【表６】
2021517756.tif 000008
【０１４８】
【表７】
2021517756.tif 000009
【０１４９】
理解すべきこととして、以上に前記複数の指示フィールドによって前記ダウンリンク制御情報の伝送のためのビット数の範囲を示す指示方式は例だけであるが、本出願の実施形態に対するいかなる限定を構成するべきものではなく、本出願の実施形態では、他の指示方式によって前記ダウンリンク制御情報の伝送のためのビット数の範囲を確定することもでき、本出願の実施形態はこれに限定されない。
【０１５０】
したがって、前記実施形態９では、複数の指示フィールドによってＵＣＩの伝送のためのビット数を示すことができ、ＵＣＩリソースへの指示の柔軟性が向上する。
【０１５１】
以上に図２〜図４を組み合わせ、端末装置の観点から本出願の実施形態による情報伝送方法を詳細に説明し、以下に図５を組み合わせ、ネットワーク装置の観点から本出願の他の実施形態による情報伝送方法を詳細に説明する。理解すべきこととして、ネットワーク装置側の説明と端末装置側の説明が相互に対応し、同様の説明について上記を参照でき、繰り返しを回避するために、ここで説明を省略しない。
【０１５２】
図５は本出願の他の実施形態による情報伝送方法３００の概略フローチャートである。前記方法３００は図１に示す通信システムでのネットワーク装置によって実行されてもよく、図５に示すように、前記方法３００は次の内容を含む。
【０１５３】
Ｓ３１０において、ネットワーク装置は、第一の情報を確定し、前記第一の情報がアップリンク伝送リソースにおける、アップリンク制御情報を伝送するための第一のリソースを確定することに用いられる。
【０１５４】
Ｓ３２０において、前記ネットワーク装置は、端末装置へ第一の情報を送信する。
【０１５５】
選択可能に、いくつかの実施形態では、前記第一の情報は、
アップリンク伝送リソースでアップリンク制御情報を伝送できるか否か、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプのうちの少なくとも１つを示すことに用いられる。
【０１５６】
選択可能に、いくつかの実施形態では、前記第一の情報は明示的又は暗黙的に示される。
【０１５７】
選択可能に、いくつかの実施形態では、前記第一の情報は、アップリンク制御情報の変調及び符号化方式（ＭＣＳ）オフセットを示すための指示フィールドに搬送される。
【０１５８】
選択可能に、いくつかの実施形態では、前記第一の情報は、アップリンク制御情報のＭＣＳオフセットを示すための複数の指示フィールドに搬送され、前記複数の指示フィールドのうちの各指示フィールドがそれぞれビット数範囲に対応し、前記ビット数範囲が前記ダウンリンク制御情報の伝送を制限するためのビット数の範囲を示すことに用いられる。
【０１５９】
選択可能に、いくつかの実施形態では、前記指示フィールドによって示されるオフセット値が第一の条件を満たしている場合、前記アップリンク伝送リソースでアップリンク制御情報を伝送することができないことを示すことに用いられる。
【０１６０】
選択可能に、いくつかの実施形態では、前記指示フィールドによって示されるオフセット値が第一の条件を満たしていることは、前記指示フィールドによって示されるオフセット値がゼロであることを含む。
【０１６１】
選択可能に、いくつかの実施形態では、前記指示フィールドの第一の部分の値は伝送が制限されるアップリンク制御情報を示すことに用いられ、前記指示フィールドの第二の部分の値は伝送が制限されないアップリンク制御情報を示すことに用いられる。
【０１６２】
選択可能に、いくつかの実施形態では、前記指示フィールドは、ハイブリッド自動再送リクエスト確認（ＨＡＲＱ−ＡＣＫ）情報伝送が制限されているか否かを示すことに用いられる。
【０１６３】
選択可能に、いくつかの実施形態では、前記指示フィールドがチャネル状態情報（ＣＳＩ）に対応する指示フィールドであり、前記指示フィールドによって示されるオフセット値が特定の条件を満たしている場合、伝送可能なアップリンク制御情報のビット数がＮ以下であること、及び／又は伝送可能なアップリンク制御情報のタイプがＨＡＲＱ−ＡＣＫ情報であることを示すことに用いられ、ここで、前記Ｎが正整数である。
【０１６４】
選択可能に、いくつかの実施形態では、前記指示フィールドによって示されるオフセット値が特定の条件を満たしていることは、前記指示フィールドによって示されるオフセット値がゼロであることを含むことができる。
【０１６５】
選択可能に、いくつかの実施形態では、前記端末装置はデータチャネルのタイプ及び／又はデータ伝送のための時間領域長さに基づいて前記第一の情報を確定する。
【０１６６】
選択可能に、いくつかの実施形態では、前記第一の情報は半永続的リソースに専属する。
【０１６７】
選択可能に、いくつかの実施形態では、前記アップリンク制御情報は、
ＨＡＲＱ−ＡＣＫ、ランクランク指示（ＲＩ）、チャネル品質指示（ＣＱＩ）、プリコーディングマトリックス指示（ＰＭＩ）、チャネル状態情報基準信号リソース指示（ＣＲＩ）、最強層指示（ＳＬＩ）とレイヤ１基準信号受信電力（Ｌ１−ＲＳＲＰ）のうちの少なくとも１つを含む。
【０１６８】
選択可能に、いくつかの実施形態では、前記第一の情報は半永続的リソースに専属する。
【０１６９】
以上に図２〜図５を組み合わせ、本出願の方法の実施形態を詳細に説明し、以下に図６〜図９を組み合わせ、本出願の装置の実施形態を詳細に説明し、理解すべきこととして、装置の実施形態は、方法の実施形態に対応し、類似の説明について方法の実施形態を参照できる。
【０１７０】
図６は本出願の実施形態による情報伝送装置４００を示す概略ブロック図である。図６に示すように、前記装置４００は、
ネットワーク装置から送信された第一の情報を受信するように構成される通信モジュール４１０と、
前記第一の情報に基づき、アップリンク伝送リソースにおける、アップリンク制御情報を伝送するための第一のリソースを確定するように構成される確定ユニット４２０とを備え、
前記通信モジュール４１０がさらに前記第一のリソースに基づき、前記アップリンク制御情報を伝送するように構成される。
【０１７１】
選択可能に、いくつかの実施形態では、前記第一の情報は、
アップリンク伝送リソースでアップリンク制御情報を伝送できるか否か、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプのうちの少なくとも１つを示すことに用いられる。
【０１７２】
選択可能に、いくつかの実施形態では、前記第一の情報は明示的又は暗黙的に示される。
【０１７３】
選択可能に、いくつかの実施形態では、前記第一の情報は、アップリンク制御情報の変調及び符号化方式（ＭＣＳ）オフセットを示すための指示フィールドに搬送される。
【０１７４】
選択可能に、いくつかの実施形態では、前記第一の情報は、アップリンク制御情報のＭＣＳオフセットを示すための複数の指示フィールドに搬送され、前記複数の指示フィールドのうちの各指示フィールドがそれぞれ相応するビット数範囲に対応し、前記ビット数範囲が前記ダウンリンク制御情報の伝送を制限するためのビット数の範囲を示すことに用いられる。
【０１７５】
選択可能に、いくつかの実施形態では、前記指示フィールドによって示されるオフセット値が第一の条件を満たしている場合、前記アップリンク伝送リソースでアップリンク制御情報を伝送することができないことを示すことに用いられる。
【０１７６】
選択可能に、いくつかの実施形態では、前記指示フィールドによって示されるオフセット値が第一の条件を満たしていることは、前記指示フィールドによって示されるオフセット値がゼロであることを含む。
【０１７７】
選択可能に、いくつかの実施形態では、前記指示フィールドの第一の部分の値は伝送が制限されるアップリンク制御情報を示すことに用いられ、前記指示フィールドの第二の部分の値は伝送が制限されないアップリンク制御情報を示すことに用いられる。
【０１７８】
選択可能に、いくつかの実施形態では、前記指示フィールドは、ハイブリッド自動再送リクエスト確認（ＨＡＲＱ−ＡＣＫ）情報伝送が制限されているか否かを示すことに用いられる。
【０１７９】
選択可能に、いくつかの実施形態では、前記指示フィールドがチャネル状態情報（ＣＳＩ）に対応する指示フィールドであり、前記指示フィールドによって示されるオフセット値が特定の条件を満たしている場合、伝送可能なアップリンク制御情報のビット数がＮ以下であること、及び／又は伝送可能なアップリンク制御情報のタイプがＨＡＲＱ−ＡＣＫ情報であることを示すことに用いられ、ここで、前記Ｎが正整数である。
【０１８０】
選択可能に、いくつかの実施形態では、前記指示フィールドによって示されるオフセット値が特定の条件を満たしていることは、前記指示フィールドによって示されるオフセット値がゼロであることを含むことができる。
【０１８１】
選択可能に、いくつかの実施形態では、前記端末装置はデータチャネルのタイプ及び／又はデータ伝送のための時間領域長さに基づいて前記第一の情報を確定する。
【０１８２】
選択可能に、いくつかの実施形態では、前記第一の情報は半永続的リソースに専属する。
【０１８３】
選択可能に、いくつかの実施形態では、前記アップリンク制御情報は、
ＨＡＲＱ−ＡＣＫ、ランクランク指示（ＲＩ）、チャネル品質指示（ＣＱＩ）、プリコーディングマトリックス指示（ＰＭＩ）、チャネル状態情報基準信号リソース指示（ＣＲＩ）、最強層指示（ＳＬＩ）とレイヤ１基準信号受信電力（Ｌ１−ＲＳＲＰ）のうちの少なくとも１つを含む。
【０１８４】
選択可能に、いくつかの実施形態では、前記第一の情報は半永続的リソースに専属する。
【０１８５】
理解すべきこととして、本出願の実施形態による情報伝送装置４００は、本出願の方法の実施形態における端末装置に対応してもよく、且つ装置４００の各ユニットの上記と他の操作及び／又は機能はそれぞれ図２に示す方法２００における端末装置の対応するプロセスを実現するためのものであり、簡潔するために、ここでは説明を省略する。
【０１８６】
図７は本出願の実施形態による情報伝送装置の概略ブロック図である。図７の装置５００は、
第一の情報を確定するように構成され、前記第一の情報がアップリンク伝送リソースにおける、アップリンク制御情報を伝送するための第一のリソースを確定することに用いられる確定モジュール５１０と、
端末装置へ第一の情報を送信するように構成される通信モジュール５２０とを備える。
【０１８７】
選択可能に、いくつかの実施形態では、前記第一の情報は、
アップリンク伝送リソースでアップリンク制御情報を伝送できるか否か、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプのうちの少なくとも１つを示すことに用いられる。
【０１８８】
選択可能に、いくつかの実施形態では、前記第一の情報は明示的又は暗黙的に示される。
【０１８９】
選択可能に、いくつかの実施形態では、前記第一の情報は、アップリンク制御情報の変調及び符号化方式（ＭＣＳ）オフセットを示すための指示フィールドに搬送される。
【０１９０】
選択可能に、いくつかの実施形態では、前記第一の情報は、アップリンク制御情報のＭＣＳオフセットを示すための複数の指示フィールドに搬送され、前記複数の指示フィールドのうちの各指示フィールドがそれぞれ相応するビット数範囲に対応し、前記ビット数範囲が前記ダウンリンク制御情報の伝送を制限するためのビット数の範囲を示すことに用いられる。
【０１９１】
選択可能に、いくつかの実施形態では、前記指示フィールドによって示されるオフセット値が第一の条件を満たしている場合、前記アップリンク伝送リソースでアップリンク制御情報を伝送することができないことを示すことに用いられる。
【０１９２】
選択可能に、いくつかの実施形態では、前記指示フィールドによって示されるオフセット値が第一の条件を満たしていることは、前記指示フィールドによって示されるオフセット値がゼロであることを含む。
【０１９３】
選択可能に、いくつかの実施形態では、前記指示フィールドの第一の部分の値は、伝送が制限されるアップリンク制御情報を示すことに用いられ、前記指示フィールドの第二の部分の値は、伝送が制限されないアップリンク制御情報を示すことに用いられる。
【０１９４】
選択可能に、いくつかの実施形態では、前記指示フィールドは、ハイブリッド自動再送リクエスト確認（ＨＡＲＱ−ＡＣＫ）情報伝送が制限されているか否かを示すことに用いられる。
【０１９５】
選択可能に、いくつかの実施形態では、前記指示フィールドがチャネル状態情報（ＣＳＩ）に対応する指示フィールドであり、前記指示フィールドによって示されるオフセット値が特定の条件を満たしている場合、伝送可能なアップリンク制御情報のビット数がＮ以下であること、及び／又は伝送可能なアップリンク制御情報のタイプがＨＡＲＱ−ＡＣＫ情報であることを示すことに用いられ、ここで、前記Ｎが正整数である。
【０１９６】
選択可能に、いくつかの実施形態では、前記指示フィールドによって示されるオフセット値が特定の条件を満たしていることは、前記指示フィールドによって示されるオフセット値がゼロであることを含むことができる。
【０１９７】
選択可能に、いくつかの実施形態では、前記端末装置はデータチャネルのタイプ及び／又はデータ伝送のための時間領域長さに基づいて前記第一の情報を確定する。
【０１９８】
選択可能に、いくつかの実施形態では、前記第一の情報は半永続的リソースに専属する。
【０１９９】
選択可能に、いくつかの実施形態では、前記アップリンク制御情報は、
ＨＡＲＱ−ＡＣＫ、ランクランク指示（ＲＩ）、チャネル品質指示（ＣＱＩ）、プリコーディングマトリックス指示（ＰＭＩ）、チャネル状態情報基準信号リソース指示（ＣＲＩ）、最強層指示（ＳＬＩ）とレイヤ１基準信号受信電力（Ｌ１−ＲＳＲＰ）のうちの少なくとも１つを含む。
【０２００】
選択可能に、いくつかの実施形態では、前記第一の情報は半永続的リソースに専属する。
【０２０１】
具体的には、前記装置５００は、上記方法３００で記載されるネットワーク装置に対応することができ（例えば上記方法３００で記載されるネットワーク装置に構成されてもよく又はそれ自体が前記ネットワーク装置である）、且つ、前記装置５００の各モジュール又はユニットはそれぞれ上記方法３００におけるネットワーク装置によって実行される各動作又は処理プロセスを実行することに用いられ、ここで、繰り返し説明を回避するために、その詳細な説明を省略する。
【０２０２】
図８に示すように、本出願の実施形態はさらに図２における方法２００に対応する端末装置の内容の実行に利用可能な図６の装置４００とすることができる端末装置６００を提供する。前記装置６００は、入力インタフェース６１０、出力インタフェース６２０、プロセッサ６３０及びメモリ６４０を備え、前記入力インタフェース６１０、出力インタフェース６２０、プロセッサ６３０とメモリ６４０がバスシステムを介して接続されてもよい。前記メモリ６４０はプログラム、コマンド又はコードを記憶するように構成される。前記プロセッサ６３０は前記メモリ６４０でのプログラム、コマンド又はコードを実行して、信号を受信するように入力インタフェース６１０を制御し、信号を送信するように出力インタフェース６２０を制御し、前記方法の実施形態における操作を完了するように構成される。
【０２０３】
理解すべきものとして、本出願の実施形態では、前記プロセッサ６３０は中央処理ユニット（Ｃｅｎｔｒａｌ  Ｐｒｏｃｅｓｓｉｎｇ  Ｕｎｉｔ：「ＣＰＵ」と略称）であってもよく、前記プロセッサ６３０はさらに他の汎用プロセッサ、デジタル信号プロセッサ（ＤＳＰ）、専用集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサは、マイクロプロセッサであってもよく、又は前記プロセッサはいずれかの従来のプロセッサなどであってもよい。
【０２０４】
前記メモリ６４０は、読み取り専用メモリとランダムアクセスメモリを含み、プロセッサ６３０へコマンドとデータを提供することができる。メモリ６４０の一部はさらに不揮発性ランダムアクセスメモリを含むことができる。例えば、メモリ６４０はさらに装置タイプの情報を記憶することができる。
【０２０５】
実施プロセスでは、上記方法の各内容は、プロセッサ６３０におけるハードウェアの集積論理回路又はソフトウェアの形のコマンドによって完了されてもよい。本出願の実施形態を組み合わせて開示される方法の内容は、ハードウェアプロセッサによって実行されて完了され、又はプロセッサにおけるハードウェア及びソフトウェアモジュールの組み合わせで実行されて完了されるように直接具現化されてもよい。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。前記記憶媒体は、メモリ６４０に位置し、プロセッサ６３０はメモリ６４０における情報を読み取り、そのハードウェアと組み合わせて上記方法の内容を完了する。繰り返しを回避するために、ここで詳細な説明を省略する。
【０２０６】
一つの具体的な実施形態では、図６の装置４００が備える通信モジュール４１０は、図８の前記出力インタフェース６２０と前記入力インタフェース６１０で実現されてもよく、図６の装置４００が備える確定モジュール４２０は、図８の前記プロセッサ６３０で実現されてもよい。
【０２０７】
図９に示すように、本出願の実施形態はさらに図５における方法３００に対応するネットワーク装置の内容の実行に利用可能な図７の装置５００とすることができる情報伝送装置７００を提供する。前記装置７００は、入力インタフェース７１０、出力インタフェース７２０、プロセッサ７３０及びメモリ７４０を備え、前記入力インタフェース７１０、出力インタフェース７２０、プロセッサ７３０とメモリ７４０がバスシステムを介して接続されてもよい。前記メモリ７４０はプログラム、コマンド又はコードを記憶するように構成される。前記プロセッサ７３０は前記メモリ７４０でのプログラム、コマンド又はコードを実行して、信号を受信するように入力インタフェース７１０を制御し、信号を送信するように出力インタフェース７２０を制御し、前記方法の実施形態における操作を完了するように構成される。
【０２０８】
理解すべきこととして、本出願の実施形態では、前記プロセッサ７３０は中央処理ユニット（Ｃｅｎｔｒａｌ  Ｐｒｏｃｅｓｓｉｎｇ  Ｕｎｉｔ：「ＣＰＵ」と略称）であってもよく、前記プロセッサ７３０はさらに他の汎用プロセッサ、デジタル信号プロセッサ（ＤＳＰ）、専用集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は前記プロセッサはいずれかの従来のプロセッサなどであってもよい。
【０２０９】
前記メモリ７４０は、読み取り専用メモリとランダムアクセスメモリを含み、そしてプロセッサ７３０へコマンドとデータを提供することができる。メモリ７４０の一部は、さらに不揮発性ランダムアクセスメモリを含むことができる。例えば、メモリ７４０はさらに装置タイプの情報を記憶することができる。
【０２１０】
実施プロセスでは、上記方法の各内容は、プロセッサ７３０におけるハードウェアの集積論理回路又はソフトウェアの形のコマンドによって完了されてもよい。本出願の実施形態を組み合わせて開示される方法の内容はハードウェアプロセッサによって実行されて完了され、又はプロセッサにおけるハードウェア及びソフトウェアモジュールの組み合わせで実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。前記記憶媒体はメモリ７４０に位置し、プロセッサ７３０はメモリ７４０における情報を読み取り、そのハードウェアと組み合わせて上記方法の内容を完了する。繰り返しを回避するために、ここで詳細な説明を省略する。
【０２１１】
一つの具体的な実施形態では、図７の装置５００が備える確定モジュール５１０は、図９の前記プロセッサ７３０で実現されてもよく、図７の装置５００が備える通信モジュール５２０は、図９の前記入力インタフェース７１０と前記出力インタフェース７２０で実現されてもよい。
【０２１２】
本出願の実施形態は、さらに一つ又は複数のプログラムを記憶し、前記一つ又は複数のプログラムがコマンドを含み、前記コマンドが複数のアプリケーションプログラムを含む携帯型電子装置によって実行されると、前記携帯型電子装置に図２と図５に示す実施形態における方法を実行させることができるコンピュータ可読記憶媒体を提供する。
【０２１３】
本出願の実施形態はさらに、コマンドを含み、コンピュータに実行されると、コンピュータが図２と図５に示す実施形態における方法の対応するプロセスを実行することができるコンピュータプログラムを提供する。
【０２１４】
当業者であれば、本明細書で開示される実施形態と組み合わせて説明された各例のユニット及びアルゴリズムステップは、電子ハードウェア、又はコンピュータソフトウェアと電子ハードウェアの組み合わせで実現されてもよいと理解できる。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０２１５】
当業者は、便利及び簡潔に説明するために、上記システム、装置及びユニットの具体的な動作プロセスについて、前記方法の実施形態における対応するプロセスを参照でき、ここで説明を省略することを明確に理解することができる。
【０２１６】
本出願が提供するいくつかの実施形態では、開示されるシステム、装置及び方法は、他の方式で実現されてもよいと理解すべきである。例えば、上記装置の実施形態は例示的なものだけであり、例えば、前記ユニットの区分は、論理機能的区分だけであり、実際に実施する時に他の区分方式もあり得て、例えば複数のユニット又は構成要素は組合わせられてもよく又は別のシステムに統合されてもよく、又はいくつかの特徴は無視されてもよく、又は実行されなくてもよい。また、表示又は検討した相互結合又は直接結合又は通信接続は、幾つかのインタフェースを通じて実現されてもよい。装置又はユニットの間の間接的結合又は通信接続は、電子的形態、機械的形態又は他の形態で実現されててもよい。
【０２１７】
分離部材として説明された前記ユニットは物理的に分離するものであってもよく又は物理的に分離するものでなくてもよく、ユニットとして表示された部材は物理的ユニットであってもよく又は物理的ユニットでなくてもよく、即ち一つの位置に配置されてもよく、又は複数のネットワーク要素に分散されてもよい。それらの一部又は全てのユニットは本実施形態の解決策の目的を達成するために、実際のニーズに応じて選択されてもよい。
【０２１８】
また、本出願の各実施形態における各機能ユニットは一つの処理ユニットに統合されてもよく、個々のユニットは単独で物理的に存在してもよく、二つ又は二つ以上のユニットは一つのユニットに統合されてもよい。
【０２１９】
前記機能はソフトウェア機能ユニットの形態で実現され且つ独立した製品として販売または使用される時に、一つのコンピュータ読み取り可能記憶媒体に格納されてもよい。このような理解に基づき、本出願の技術的解決策は本質的に又は従来技術に寄与する部分又は前記技術的解決策の部分がソフトウェア製品の形で具現化されてもよく、前記コンピュータソフトウェア製品が記憶媒体に記憶され、コンピュータ装置（パーソナルコンピュータ、サーバ、又はネットワークデバイス等であってもよい）に本出願の様々な実施形態に記載された方法の全て又は一部のステップを実行させるためのいくつかの命令を含む。前記憶媒体はＵＳＢフラッシュドライブ、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２２０】
以上は、本出願の実施形態の具体的な実施形態だけであるが、本出願の保護範囲はこれに制限されず、当業者が本出願で開示された技術範囲内で容易に想到し得る変化又は入れ替わりが全て本出願の保護範囲以内に含まれるべきである。従って、本出願の保護範囲は前記請求項の保護範囲に準拠するべきである。
【図１】
2021517756.tif 000010
【図２】
2021517756.tif 000011
【図３】
2021517756.tif 000012
【図４】
2021517756.tif 000013
【図５】
2021517756.tif 000014
【図６】
2021517756.tif 000015
【図７】
2021517756.tif 000016
【図８】
2021517756.tif 000017
【図９】
2021517756.tif 000018
【手続補正書】
【提出日】令和3年1月19日(2021.1.19)
【手続補正１】
【補正対象書類名】明細書
【補正対象項目名】全文
【補正方法】変更
【補正の内容】
【発明の詳細な説明】
【技術分野】
【０００１】
本出願の実施形態は通信分野に関し、且つより具体的には、情報伝送方法及び装置に関する。
【背景技術】
【０００２】
長期進化型（ＬＴＥ：Ｌｏｎｇ  Ｔｅｒｍ  Ｅｖｏｌｕｔｉｏｎ）システムでは、アップリンク制御情報（ＵＣＩ：Ｕｐｌｉｎｋ  Ｃｏｎｔｒｏｌ  Ｉｎｆｏｒｍａｔｉｏｎ）伝送とアップリンクデータ伝送が衝突する場合、アップリンク制御情報とアップリンクデータの両方は物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）を介して送信されてもよい。動的にスケジュールされたＰＵＳＣＨの場合、ネットワーク装置は、端末装置がアップリンク制御情報とアップリンクデータの両方をＰＵＳＣＨで伝送するか否かを予期することができ、したがって、ネットワーク装置は、適切なリソースを予約し、適切な変調及び符号化方式（ＭＣＳ：Ｍｏｄｕｌａｔｉｏｎ  ａｎｄ  Ｃｏｄｉｎｇ  Ｓｃｈｅｍｅ）を配置することでデータ伝送の信頼性を保証することができる。半永続的にスケジュールされたＰＵＳＣＨの場合、アップリンクサービスの信頼性及び遅延要求が高くないため、アップリンク制御情報がＰＵＳＣＨで伝送されてアップリンクデータが誤って受信される場合でも、そのデータ伝送の信頼性が再送信により保証されてもよい。
【０００３】
しかし、５Ｇ（５ｔｈ−Ｇｅｎｅｒａｔｉｏｎ）新無線（ＮＲ：Ｎｅｗ  Ｒａｄｉｏ）システムでは、半永続的スケジュールが、信頼性が高く且つ遅延が低いサービスの伝送に用いられてもよく、半永続的スケジュール方式に対して、アップリンク制御情報とアップリンクデータの両方がＰＵＳＣＨで伝送されると、アップリンクデータ伝送の信頼性及び遅延要求を保証することができない可能性がある。したがって、上記問題を解決することができる技術的解決策が必要となる。
【発明の概要】
【発明が解決しようとする課題】
【０００４】
本出願の実施形態は、データ伝送の信頼性及び伝送遅延の折衷を実現することができる情報伝送方法及び装置を提供する。
【課題を解決するための手段】
【０００５】
第一の態様による情報伝送方法は、端末装置がネットワーク装置から送信された第一の情報を受信することと、前記端末装置が前記第一の情報に基づき、アップリンク伝送リソースにおける、アップリンク制御情報を伝送するための第一のリソースを確定することと、前記端末装置が前記第一のリソースに基づき、前記アップリンク制御情報を伝送することと、を含む。
【０００６】
したがって、本出願の実施形態による情報伝送方法では、ネットワーク装置によって配置された第一の情報に基づき、アップリンク伝送リソースにおける、アップリンク制御情報（ＵＣＩ）伝送のためのリソースを確定することができ、さらに、端末装置は、アップリンク制御情報伝送のためのリソースで前記アップリンク制御情報を伝送するように構成されてもよい。これにより、アップリンク制御情報とアップリンクデータ伝送の衝突問題を回避することに有利である。
【０００７】
一つの可能な実施形態では、前記第一の情報は、
アップリンク伝送リソースでアップリンク制御情報を伝送できるか否か、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプのうちの少なくとも１つを示すことに用いられる。
【０００８】
したがって、端末装置は、前記第一の情報に基づき、アップリンク伝送リソースがＵＣＩを伝送できるか否かを確定することができ、ＵＣＩの伝送に利用可能な場合、さらに、前記ＵＣＩの送信方式、例えば、送信待ちＵＣＩを伝送するための全てのビット、送信待ちＵＣＩを処理して再送信するかを確定することができる。
【０００９】
一つの可能な実施形態では、前記第一の情報は明示的又は暗黙的に示される。
【００１０】
例えば、前記第一の情報は表示コマンド（例えば上位層シグナリング又は物理層シグナリングなど）によって端末装置に配置されてもよく、又は、特定の状況又は特定の場合で、既存の情報又はシグナリングは前記第一の情報を示すことに用いられてもよく、本出願の実施形態はこれに限定されない。
【００１１】
一つの可能な実施形態では、前記第一の情報は、アップリンク制御情報の変調及び符号化方式（ＭＣＳ）オフセットを示すための指示フィールドに搬送される。
【００１２】
選択可能に、前記第一の情報は、ＭＣＳ  ｏｆｆｅｓｅｔを示すための既存の指示フィールドの長さを増加することで搬送されてもよく、又は前記第一の情報は、ＭＣＳ  ｏｆｆｓｅｔを示すための前記既存の指示フィールドにおける予約ビットで搬送されてもよく、本出願の実施形態はこれに限定されない。
【００１３】
一つの可能な実施形態では、前記第一の情報は、アップリンク制御情報のＭＣＳオフセットを示すための複数の指示フィールドに搬送され、前記複数の指示フィールドのうちの各指示フィールドがそれぞれ対応するビット数範囲及び／又はアップリンク制御情報タイプに対応し、前記ビット数範囲が前記アップリンク制御情報の伝送を制限するためのビット数の範囲を示すことに用いられる。
【００１４】
したがって、ＵＣＩの伝送を許可するためのビット数及び／又はアップリンク制御情報タイプを複数の指示フィールドによって柔軟に示すことができる。これにより、ＵＣＩリソース指示の柔軟性が向上する。
【００１５】
一つの可能な実施形態では、前記指示フィールドによって示されるオフセット値が第一の条件を満たしている場合、前記アップリンク伝送リソースでアップリンク制御情報を伝送することができないことを示すことに用いられる。
【００１６】
一つの可能な実施形態では、前記指示フィールドによって示されるオフセット値が第一の条件を満たしていることは、前記指示フィールドによって示されるオフセット値がゼロであることを含む。
【００１７】
したがって、既存の指示フィールドを多重化して前記第一の情報を搬送することにより、シグナリングオーバーヘッドを節約することができ、同時に、ＵＣＩのＭＣＳオフセットの柔軟な配置を実現することができ、例えば、ＵＣＩの制限される伝送を実現することができる。これにより、ＵＣＩとアップリンクデータの両方がＰＵＳＣＨで伝送される場合の衝突問題を回避することができ、アップリンクデータ伝送の信頼性を保証することができる。
【００１８】
一つの可能な実施形態では、前記指示フィールドの第一の部分の値は伝送が制限されるアップリンク制御情報を示すことに用いられ、前記指示フィールドの第二の部分の値は伝送が制限されないアップリンク制御情報を示すことに用いられる。
【００１９】
したがって、既存の指示フィールドを多重化して前記第一の情報を搬送することにより、シグナリングオーバーヘッドを節約することができ、同時に、ＵＣＩのＭＣＳ  ｏｆｆｓｅｔの柔軟な配置を実現することができ、例えば、ＵＣＩの制限される伝送を実現することができる。これにより、ＵＣＩとアップリンクデータの両方がＰＵＳＣＨで伝送される場合の衝突問題を回避することができ、アップリンクデータ伝送の信頼性を保証することができる。
【００２０】
一つの可能な実施形態では、前記指示フィールドは、ハイブリッド自動再送リクエスト確認（ＨＡＲＱ−ＡＣＫ：Ｈｙｂｒｉｄ  Ａｕｔｏｍａｔｉｃ  Ｒｅｐｅａｔ  ｒｅＱｕｅｓｔ  ＡＣＫｎｏｗｌｅｄｇｅｍｅｎｔ）情報伝送が制限されているか否かを示すことに用いられる。
【００２１】
一つの可能な実施形態では、前記指示フィールドがチャネル状態情報（ＣＳＩ：Ｃｈａｎｎｅｌ  Ｓｔａｔｅ  Ｉｎｆｏｒｍａｔｉｏｎ）に対応する指示フィールドであり、前記指示フィールドによって示されるオフセット値が特定の条件を満たしている場合、伝送可能なアップリンク制御情報のビット数がＮ以下であること、及び／又は伝送可能なアップリンク制御情報のタイプがＨＡＲＱ−ＡＣＫ情報であることを示すことに用いられ、ここで、前記Ｎが正整数である。
【００２２】
したがって、前記第一の情報が交差隠し方式で示されてもよく、前記第一の情報への指示の柔軟性が向上する。前記指示方式により、ＨＡＲＱ−ＡＣＫとＣＳＩの伝送が同時に制限されてもよく、アップリンクデータ伝送の信頼性の保証に役立つ。
【００２３】
そして、ＣＳＩの重要性／緊急度がＨＡＲＱ−ＡＣＫ情報よりも低いため、本出願の実施形態ではＣＳＩ伝送の制限が優先的に考えられ、それによって伝送リソースが限られている場合、ＣＳＩ情報が優先的に破棄され、ＨＡＲＱ−ＡＣＫ情報の伝送を保証し、ダウンリンク伝送効率の最大化を達成できる。
【００２４】
また、ＨＡＲＱ−ＡＣＫ伝送のためのビット数／伝送リソースをＣＳＩの指示フィールドによって明示的又は暗黙的に制限することにより、複数の伝送方式、例えばＣＳＩとＨＡＲＱ−ＡＣＫの両方がニューズに応じて伝送される（即ち制限されない伝送）こと、ＣＳＩが伝送されないこと、ＡＨＡＲＱ−ＡＣＫの伝送が制限されること、ＣＳＩとＨＡＲＱ−ＡＣＫの両方が伝送されないことなどを実現することができる。これにより、アップリンク伝送の信頼性とダウンリンク伝送の伝送効率の折衷を実現することができる。
【００２５】
一つの可能な実施形態では、前記指示フィールドによって示されるオフセット値が特定の条件を満たしていることは、前記指示フィールドによって示されるオフセット値がゼロであることを含むことができる。
【００２６】
一つの可能な実施形態では、前記端末装置はデータチャネルのタイプ及び／又はデータ伝送のための時間領域長さに基づいて前記第一の情報を確定する。
【００２７】
一つの可能な実施形態では、前記第一の情報は半永続的リソースに専属する。
【００２８】
一つの可能な実施形態では、前記アップリンク制御情報は、
ＨＡＲＱ−ＡＣＫ、ランクランク指示（ＲＩ：Ｒａｎｋ  Ｉｎｄｉｃａｔｏｒ）、チャネル品質指示（ＣＱＩ：Ｃｈａｎｎｅｌ  Ｑｕａｌｉｔｙ  Ｉｎｄｉｃａｔｉｏｎ）、プリコーディングマトリックス指示（ＰＭＩ：Ｐｒｅｃｏｄｉｎｇ  Ｍａｔｒｉｘ  Ｉｎｄｉｃａｔｉｏｎ）、チャネル状態情報基準信号リソース指示（ＣＲＩ：ＣＳＩ  Ｒｅｆｅｒｅｎｃｅ  Ｓｉｇｎａｌ  Ｒｅｓｏｕｒｃｅ  Ｉｎｄｉｃａｔｏｒ）、最強層指示（ＳＬＩ：Ｓｔｒｏｎｇｅｓｔ  Ｌａｙｅｒ  Ｉｎｄｉｃａｔｉｏｎ）とレイヤ１基準信号受信電力（Ｌ１−ＲＳＲＰ：Ｌａｙｅｒ  １−Ｒｅｆｅｒｅｎｃｅ  Ｓｉｇｎａｌ  Ｒｅｃｅｉｖｅｄ  Ｐｏｗｅｒ）のうちの少なくとも１つを含む。
【００２９】
第二の態様による情報伝送方法は、ネットワーク装置が第一の情報を確定し、前記第一の情報がアップリンク伝送リソースにおける、アップリンク制御情報を伝送するための第一のリソースを確定するために端末装置によって用いられることと、前記ネットワーク装置が前記端末装置へ第一の情報を送信することと、を含む。
【００３０】
一つの可能な実施形態では、前記第一の情報は、
アップリンク伝送リソースでアップリンク制御情報を伝送できるか否か、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプのうちの少なくとも１つを示すことに用いられる。
【００３１】
一つの可能な実施形態では、前記第一の情報は、明示的又は暗黙的に示される。
【００３２】
一つの可能な実施形態では、前記第一の情報は、アップリンク制御情報の変調及び符号化方式（ＭＣＳ）オフセットを示すための指示フィールドに搬送される。
【００３３】
一つの可能な実施形態では、前記第一の情報は、アップリンク制御情報のＭＣＳオフセットを示すための複数の指示フィールドに搬送され、前記複数の指示フィールドのうちの各指示フィールドがそれぞれ相応するビット数範囲に対応し、前記ビット数範囲が前記アップリンク制御情報の伝送を制限するためのビット数の範囲を示すことに用いられる。
【００３４】
一つの可能な実施形態では、前記指示フィールドによって示されるオフセット値が第一の条件を満たしている場合、前記アップリンク伝送リソースでアップリンク制御情報を伝送することができないことを示すことに用いられる。
【００３５】
一つの可能な実施形態では、前記指示フィールドによって示されるオフセット値が第一の条件を満たしていることは、前記指示フィールドによって示されるオフセット値がゼロであることを含む。
【００３６】
一つの可能な実施形態では、前記指示フィールドの第一の部分の値は伝送が制限されるアップリンク制御情報を示すことに用いられ、前記指示フィールドの第二の部分の値は伝送が制限されないアップリンク制御情報を示すことに用いられる。
【００３７】
一つの可能な実施形態では、前記指示フィールドは、ハイブリッド自動再送リクエスト確認（ＨＡＲＱ−ＡＣＫ）情報伝送が制限されているか否かを示すことに用いられる。
【００３８】
一つの可能な実施形態では、前記指示フィールドがチャネル状態情報（ＣＳＩ）に対応する指示フィールドであり、前記指示フィールドによって示されるオフセット値が特定の条件を満たしている場合、伝送可能なアップリンク制御情報のビット数がＮ以下であること、及び／又は伝送可能なアップリンク制御情報のタイプがＨＡＲＱ−ＡＣＫ情報であることを示すことに用いられ、ここで、前記Ｎが正整数である。
【００３９】
一つの可能な実施形態では、前記指示フィールドによって示されるオフセット値が特定の条件を満たしていることは、前記指示フィールドによって示されるオフセット値がゼロであることを含むことができる。
【００４０】
一つの可能な実施形態では、前記端末装置はデータチャネルのタイプ及び／又はデータ伝送のための時間領域長さに基づいて前記第一の情報を確定する。
【００４１】
一つの可能な実施形態では、前記第一の情報は半永続的リソースに専属する。
【００４２】
一つの可能な実施形態では、前記アップリンク制御情報は、
ＨＡＲＱ−ＡＣＫ、ランクランク指示（ＲＩ）、チャネル品質指示（ＣＱＩ）、プリコーディングマトリックス指示（ＰＭＩ）、チャネル状態情報基準信号リソース指示（ＣＲＩ）、最強層指示（ＳＬＩ）とレイヤ１基準信号受信電力（Ｌ１−ＲＳＲＰ）のうちの少なくとも１つを含む。
【００４３】
第三の態様による情報伝送装置は上記第一の態様又は第一の態様のいずれかの可能な実施形態における方法を実行するように構成される。前記装置は、上記第一の態様又は第一の態様のいずれかの可能な実施形態における方法を実行するように構成されるユニットを備える。
【００４４】
第四の態様による情報伝送装置は、メモリ、プロセッサ、入力インタフェースと出力インタフェースを備える。ここで、メモリ、プロセッサ、入力インタフェースと出力インタフェースは、バスシステムを介して接続される。前記メモリは、コマンドを記憶するように構成され、前記プロセッサは、前記メモリに記憶された、上記第一の態様又は第一の態様のいずれかの可能な実施形態における方法を実行するように構成されるコマンドを実行するように構成される。
【００４５】
第五の態様による情報伝送装置は、上記第二の態様又は第二の態様のいずれかの可能な実施形態における方法を実行するように構成される。具体的には、前記装置は、上記第二の態様又は第二の態様のいずれかの可能な実施形態における方法を実行するように構成されるユニットを備える。
【００４６】
第六の態様による情報伝送装置は、メモリ、プロセッサ、入力インタフェースと出力インタフェースを備える。ここで、メモリ、プロセッサ、入力インタフェースと出力インタフェースは、バスシステムを介して接続される。前記メモリは、コマンドを記憶するように構成され、前記プロセッサは、前記メモリに記憶された、上記第二の態様又は第二の態様のいずれかの可能な実施形態における方法を実行するように構成されるコマンドを実行するように構成される。
【００４７】
第七の態様によるコンピュータ記憶媒体は、上記第一の態様又は第一の態様のいずれかの可能な実施形態における方法を実行するための、上記態様を実行するように構成されるプログラムを含むコンピュータソフトウエアコマンドを記憶するように構成される。
【００４８】
第八の態様によるコマンドを含むコンピュータプログラム製品は、コンピュータで実行される場合、コンピュータに上記第一の態様又は第一の態様のいずれかの選択可能な実施形態における方法を実行させる。
【００４９】
第九の態様によるコンピュータ記憶媒体は、上記第二の態様又は第二の態様のいずれかの可能な実施形態における方法を実行するための、上記態様を実行するように構成されるプログラムを含むコンピュータソフトウエアコマンドを記憶するように構成される。
【００５０】
第十の態様によるコマンドを含むコンピュータプログラム製品は、コンピュータで実行される場合、コンピュータに上記第二の態様又は第二の態様のいずれかの選択可能な実施形態における方法を実行させる。
【図面の簡単な説明】
【００５１】
【図１】本出願の実施形態の一つの応用シーンを示す概略図である。
【図２】本出願の実施形態による情報伝送方法を示す概略フローチャートである。
【図３】アップリンク制御情報の一つの処理方式を示す概略図である。
【図４】アップリンク制御情報の他の処理方式を示す概略図である。
【図５】本出願の他の実施形態による情報伝送方法を示す概略フローチャートである。
【図６】本出願の実施形態による情報伝送装置を示す概略ブロック図である。
【図７】本出願の他の実施形態による情報伝送装置を示す概略ブロック図である。
【図８】本出願の実施形態による情報伝送装置を示す概略ブロック図である。
【図９】本出願の他の実施形態による情報伝送装置を示す概略ブロック図である。
【発明を実施するための形態】
【００５２】
以下に図面を組み合わせながら本出願の実施形態における技術的解決策を説明する。
【００５３】
本出願の実施形態の技術的解決策は様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム又は将来の５Ｇシステムなどに応用されてもよい。
【００５４】
図１には本発明の実施形態に応用される無線通信システム１００が示される。前記無線通信システム１００はネットワーク装置１１０を備えることができる。ネットワーク装置１１０は端末装置と通信する装置であってもよい。ネットワーク装置１１０は特定の地理的エリアに対して通信カバレッジを提供することができ、そして前記カバレッジに位置する端末装置（例えばＵＥ）と通信を行うことができる。選択可能に、前記ネットワーク装置１１０はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、さらにＬＴＥシステムにおける進化型基地局（ｅＮＢ又はｅＮｏｄｅＢ：Ｅｖｏｌｕｔｉｏｎａｌ  ＮｏｄｅＢ）であってもよいし、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は前記ネットワーク装置は中継局、アクセスポイント、車載デバイス、ウェアラブルデバイス、将来の５Ｇネットワークにおけるネットワーク装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）におけるネットワーク装置などであってもよい。
【００５５】
前記無線通信システム１００は、さらにネットワーク装置１１０のカバレッジに位置する少なくとも一つの端末装置１２０を備える。端末装置１２０は移動型又は固定型でもよい。選択可能に、端末装置１２０はアクセス端末、ユーザ装置（ＵＥ：Ｕｓｅｒ  Ｅｑｕｉｐｍｅｎｔ）、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末は、セルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化したＰＬＭＮネットワークにおける端末装置などであってもよい。
【００５６】
本出願の実施形態では、ネットワーク装置は、端末装置に半永続的リソース（又は非動的リソース、アンライセンス（Ｇｒａｎｔ  ｆｒｅｅ）リソース）と呼ばれる）を配置することができ、前記半永続的リソースが非動的スケジュール伝送（又は半永続的伝送と呼ばれる）のためのリソースであり、前記非動的スケジュールが動的スケジュール（例えば、物理層シグナリングによるスケジュール）以外のスケジュール方式、例えば、半静的配置（即ちタイプ（Ｔｙｐｅｌ）１）の伝送方式、又は半静的配置と動的トリガ（即ちタイプ（Ｔｙｐｅｌ）２）の組み合わせの伝送方式である。
【００５７】
本出願の実施形態では、ネットワーク装置は、端末装置にアップリンク半永続的伝送における、情報伝送を制御するための変調及び符号化方式（ＭＣＳ：Ｍｏｄｕｌａｔｉｏｎ  ａｎｄ  Ｃｏｄｉｎｇ  Ｓｃｈｅｍｅ）オフセット（ｏｆｆｓｅｔ）を配置することができ、例えば、ＢｅｔａｏｆｆｓｅｔがＭＣＳ  ｏｆｆｓｅｔのインデックスを示す。
【００５８】
図２は本出願の実施形態による情報伝送方法２００の概略フローチャートである。前記方法２００は図１に示す通信システム１００での端末装置によって実行されてもよく、図２に示すように、前記方法２００は次の内容を含むことができる。
【００５９】
Ｓ２１０において、端末装置は、ネットワーク装置から送信された第一の情報を受信する。
【００６０】
Ｓ２２０において、前記端末装置は、前記第一の情報に基づき、アップリンク伝送リソースにおける、アップリンク制御情報を伝送するための第一のリソースを確定する。
【００６１】
Ｓ２３０において、前記端末装置は、前記第一のリソースに基づき、前記アップリンク制御情報を伝送する。
【００６２】
したがって、本出願の実施形態による情報伝送方法では、端末装置は、ネットワーク装置によって配置された第一の情報に基づき、アップリンク伝送リソースにおける、アップリンク制御情報伝送のためのリソースを確定することができ、さらに、端末装置は、アップリンク制御情報伝送のためのリソースで前記アップリンク制御情報を伝送するように構成されてもよい。これにより、アップリンク制御情報とアップリンクデータ伝送の衝突問題を回避することに有利である。
【００６３】
限定ではなく例として、前記アップリンク制御情報（ＵＣＩ：Ｕｐｌｉｎｋ  Ｃｏｎｔｒｏｌ  Ｉｎｆｏｒｍａｔｉｏｎ）は、
ハイブリッド自動再送リクエスト確認（ＨＡＲＱ  −ＡＣＫ：Ｈｙｂｒｉｄ  Ａｕｔｏｍａｔｉｃ  Ｒｅｐｅａｔ  ｒｅＱｕｅｓｔ  ＡＣＫｎｏｗｌｅｄｇｅｍｅｎｔ）情報、チャネル品質指示（ＣＱＩ：Ｃｈａｎｎｅｌ  Ｑｕａｌｉｔｙ  Ｉｎｄｉｃａｔｉｏｎ）、プリコーディングマトリックス指示（ＰＭＩ：Ｐｒｅｃｏｄｉｎｇ  Ｍａｔｒｉｘ  Ｉｎｄｉｃａｔｉｏｎ）、ランクランク指示（ＲＩ：Ｒａｎｋ  Ｉｎｄｉｃａｔｉｏｎ）、チャネル状態情報基準信号リソース指示（ＣＲＩ：Ｃｈａｎｎｅｌ  ｓｔａｔｅ  ｉｎｆｏｒｍａｔｉｏｎ  ｒｅｆｅｒｅｎｃｅ  ｓｉｇｎａｌ  Ｒｅｓｏｕｒｃｅ  Ｉｎｄｉｃａｔｏｒ）、最強層指示（ＳＬＩ：Ｓｔｒｏｎｇｅｓｔ  Ｌａｙｅｒ  Ｉｎｄｉｃａｔｉｏｎ）、レイヤ１基準信号受信電力（Ｌ１−ＲＳＲＰ：Ｌａｙｅｒ１−Ｒｅｆｅｒｅｎｃｅ  Ｓｉｇｎａｌ  Ｒｅｃｅｉｖｅｄ  Ｐｏｗｅｒ）のうちの少なくとも１つを含む。
【００６４】
選択可能に、本出願の実施形態では、前記アップリンク伝送リソースは半永続的リソースであってもよく、例えば、前記アップリンク伝送リソースは、非動的スケジュール伝送のための時間領域リソース、周波数領域又はコード領域リソースなどを含むことができ、本出願の実施形態はこれに限定されない。
【００６５】
選択可能に、本出願の実施形態では、前記第一の情報は、半永続的リソースに専属してもよく、即ち前記第一の情報は、半永続的リソースの配信構成のみに用いられてもよく、又は帯域幅部分（ＢＷＰ：ＢａｎｄＷｉｄｔｈパーツ）に専属してもよく、又は搬送波に専属してもよく、本出願の実施形態はこれに限定されない。
【００６６】
選択可能に、前記第一の情報は、明示的に示されてもよく、例えば、表示コマンド（例えば上位層シグナリング又は物理層シグナリングなど）によって端末装置に前記第一の情報を配置することができ、又は、暗黙的に示してもよく、例えば、特定の状況又は特定の場合で、前記第一の情報は、既存の情報又はシグナリングによって示されてもよく、本出願の実施形態はこれに限定されない。
【００６７】
選択可能に、いくつかの実施形態では、前記第一の情報は、
アップリンク伝送リソースでアップリンク制御情報を伝送できるか否か、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプのうちの少なくとも１つを示すことに用いられてもよい。
【００６８】
説明すべきこととして、本出願の実施形態では、前記伝送可能なアップリンク制御情報のビット数は、ＵＣＩの伝送に利用可能な最大ビット数であってもよく、又はＵＣＩの伝送に実際に用いられるビット数であってもよく、本出願の実施形態はこれに限定されない。
【００６９】
理解すべきこととして、以上に前記第一の情報によって示される内容は、例だけであり、前記第一の情報は、他の情報を示すことに用いられてもよく、前記第一の情報はアップリンク伝送リソースにおけるアップリンク制御情報の伝送のためのリソースを確定することに利用可能であれば、全て本出願の実施形態の保護範囲に含まれる。
【００７０】
即ち、前記第一の情報はアップリンク伝送リソースにおける、ＵＣＩを伝送するためのリソースを確定することに用いられてもよく、したがって、端末装置は、前記第一の情報に基づき、アップリンク伝送リソースがＵＣＩを伝送できるか否かを確定することができ、ＵＣＩの伝送に利用可能な場合、さらに、前記ＵＣＩの送信方式を確定することができ、選択可能に、前記端末装置は、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプなどの情報のうちの少なくとも１つに基づいて前記ＵＣＩの送信方式を確定することができる。選択可能に、前記ＵＣＩの送信方式は、送信待ちＵＣＩの全てのビットを伝送すること、又は送信待ちＵＣＩを処理して再送信することを含むことができる。
【００７１】
理解すべきこととして、本出願の実施形態では、送信待ちＵＣＩに対する処理にはゼロパディング、繰り返し、圧縮、多重化と破棄などの処理方式が含まれるが、これらに限定されなく、例えば、送信待ちＵＣＩに対する処理には前記ＵＣＩに対する圧縮が含まれてもよく、ここでの圧縮は、コードブックグループ（ＣＢＧ：Ｃｏｄｅ  Ｂｌｏｃｋ  Ｇｒｏｕｐ）、空間領域、搬送波領域又は時間領域のうちの少なくとも１つの次元から前記ＵＣＩを圧縮させることであってもよく、即ちＣＢＧ、空間、搬送波又は時間を単位としてＵＣＩを圧縮させることができ、例えば、同一の搬送波に属するＵＣＩを圧縮し、又は同一のＣＢＧに属するＵＣＩを圧縮させることができ、又は、送信待ちＵＣＩに対する処理には前記ＵＣＩに対する破棄処理が含まれてもよく、例えば、最終的に伝送されるＵＣＩが伝送可能な最大ビット数以下になるように、送信待ちＵＣＩの部分のビットに対して破棄処理を行うことができ、又は、最終的に伝送されるＵＣＩが伝送可能な最大ビット数以下になるように、他の方式を用いて前記ＵＣＩを処理することもでき、本出願の実施形態では前記ＵＣＩに対する処理方式が特に限定されない。
【００７２】
以下に図３と図４に示す具体的な例を組み合わせ、前記ＵＣＩをＨＡＲＱ−ＡＣＫ情報としてＵＣＩに対する処理方式を説明する。
【００７３】
例えば、１３ビットのＨＡＲＱ−ＡＣＫ情報がフィードバックされる場合、アップリンク伝送リソースが２ビットのＨＡＲＱ−ＡＣＫ情報のみを伝送できないと、端末装置は、前記１３ビットのＨＡＲＱ−ＡＣＫ情報を圧縮させることができ、例えば、時間領域に従って前記１３ビットのＨＡＲＱ−ＡＣＫ情報を圧縮させることができ、図３に示すように、コンポーネント搬送波（ＣＣ：Ｃｏｍｐｏｎｅｎｔ  Ｃａｒｒｉｅｒ）１上の伝送ブロック（ＴＢ：Ｔｒａｎｓｍｉｔ  Ｂｌｏｃｋ）とＴＢ４、ＣＣ２上のＴＢ２及びＴＢ５、ＣＣ３上のＴＢ３及びＴＢ６とＣＣ４上のＴＢ７におけるＨＡＲＱ−ＡＣＫ情報を１ビットのＵＣＩに圧縮させて伝送し、ＣＣ１情報のＴＢ８、ＣＣ２上のＴＢ１１、ＣＣ３上のＴＢ９及びＴＢ１２とＣＣ４上のＴＢ１０及びＴＢ１３におけるＨＡＲＱ−ＡＣＫ情報を１ビットのＵＣＩに圧縮させて伝送することができる。
【００７４】
又は、図４に示すように、前記１３ビットのＨＡＲＱ−ＡＣＫ情報における最後の１１ビットを破棄し、先頭の２ビットの情報のみを伝送し、即ちＣＣ１上のＴＢ１及びＴＢ４におけるＨＡＲＱ−ＡＣＫ情報のみを伝送することができる。
【００７５】
以下に具体的な実施形態を組み合わせて前記第一の情報の指示方式を詳しく説明する。
【００７６】
実施形態１において、前記第一の情報は、前記アップリンク伝送リソースにおける、アップリンク制御情報の伝送に利用可能なリソースの数を示すことに用いられる。
【００７７】
例えば、前記第一の情報によって示される、アップリンク制御情報の伝送に利用可能なリソースの数がＮであり、即ちネットワーク装置によって端末装置に配置された前記アップリンク伝送リソースにおける、ＵＣＩの伝送に利用可能なリソースの数がＮである場合、前記端末装置は、前記リソースの数ＮとＵＣＩ伝送のためのＭＣＳ  ｏｆｆｓｅｔに基づき、伝送可能なＵＣＩの最大ビット数Ｍを確定することができ、さらに、前記端末装置は、送信待ちＵＣＩのビット数Ｌと前記最大ビット数Ｍに基づいて前記ＵＣＩの送信方式を確定することができ、例えば、Ｌ≦Ｍの場合、即ち前記アップリンク伝送リソースにおける、ＵＣＩの伝送に利用可能な最大ビット数が前記送信待ちＵＣＩの全てのビットの伝送に十分である場合、前記端末装置はＵＣＩの全てのビットを送信することができ、又は、Ｌ＞Ｍの場合、前記端末装置は、最終的に伝送されるＵＣＩに占有されたビット数が前記最大ビット数Ｍ以下になるように、送信待ちＵＣＩを処理することができ、その後、処理されたＵＣＩを送信し、即ち最終的に伝送されるＵＣＩのビット数が送信待ちＵＣＩのビット数Ｌと伝送可能なＵＣＩの最大ビットＭのうちの最小値であり、前記ＵＣＩに対する処理方式について以上の関連説明を参照することができ、ここで説明を省略する。
【００７８】
実施形態２において前記第一の情報は、ＭＣＳ  ｏｆｆｓｅｔを示すための既存の指示フィールドに搬送されてもよい。
【００７９】
即ちネットワーク装置はＭＣＳ  ｏｆｆｓｅｔを示すための既存の指示フィールドを多重化して前記第一の情報を搬送することができ、したがって、ＭＣＳ  ｏｆｆｓｅｔを示すための前記指示フィールドは、ＭＣＳ  ｏｆｆｓｅｔだけでなく、前記第一の情報を示すことに用いられてもよい。これにより、端末装置は、ＭＣＳ  ｏｆｆｓｅｔを示すための前記指示フィールドから前記ＭＣＳ  ｏｆｆｓｅｔと前記第一の情報を取得し、さらに前記指示フィールドに搬送された前記第一の情報に基づき、アップリンク伝送リソースでＵＣＩを送信することができるか否かを確定することができ、前記アップリンク伝送リソースでＵＣＩを伝送することができることを確定する場合、さらに、前記端末装置は前記第一の情報に基づいてＵＣＩの送信方式を確定することができる。
【００８０】
したがって、既存の指示フィールドを多重化して前記第一の情報を搬送することにより、シグナリングオーバーヘッドを節約することができ、同時に、ＵＣＩのＭＣＳ  ｏｆｆｓｅｔの柔軟な配置を実現することができ、例えば、ＵＣＩの制限される伝送を実現することができる。これにより、ＵＣＩとアップリンクデータの両方がＰＵＳＣＨで伝送される場合の衝突問題を回避することができ、アップリンクデータ伝送の信頼性を保証することができる。
【００８１】
選択可能に、本出願の実施形態では、前記第一の情報は、ＭＣＳ  ｏｆｆｅｓｅｔを示すための既存の指示フィールドの長さを増加することで搬送されてもよく、又は前記第一の情報は、ＭＣＳ  ｏｆｆｓｅｔを示すための前記既存の指示フィールドにおける予約ビットで搬送されてもよく、本出願の実施形態はこれに限定されない。
【００８２】
制限ではなく例として、前記第一の情報の指示方式は以下の状況を含むことができる。
【００８３】
状況１において、ＭＣＳ  ｏｆｆｅｓｅｔを示すための前記指示フィールドのオフセット値が第一の条件を満たしている場合、前記アップリンク伝送リソースでＵＣＩを伝送することができないことを示すことに用いられてもよく、端末装置はＵＣＩに対応する指示フィールドのオフセット値が第一の条件を満たしていることを確定する場合、アップリンク伝送リソースでＵＣＩを伝送することができないことを確定することができる。
【００８４】
選択可能に、ＭＣＳ  ｏｆｆｅｓｅｔを示すための指示フィールドのオフセット値が第一の条件を満たしていることは、ＭＣＳ  ｏｆｆｅｓｅｔを示すための前記指示フィールドのオフセット値がゼロであり、又は特定の意味を有する値、例えば予約値（Ｒｅｓｅｒｖｅｄ）などであってもよいことを含むことができ、本出願の実施形態はこれに限定されない。
【００８５】
状況２において、ＭＣＳ  ｏｆｆｅｓｅｔを示すための前記指示フィールドのオフセット値が第二の条件を満たしている場合、アップリンク制御情報の伝送に利用可能なリソースの割合を示すことに用いられてもよく、端末装置は、ＵＣＩに対応する指示フィールドのオフセット値が前記第二の条件を満たしていることを確定する場合、アップリンク伝送リソースにおいて、前記リソースの割合以下のアップリンク伝送リソースでＵＣＩを伝送することを確定することができる。
【００８６】
選択可能に、ＭＣＳ  ｏｆｆｅｓｅｔを示すための指示フィールドのオフセット値が第二の条件を満たしていることは、ＭＣＳ  ｏｆｆｅｓｅｔを示すための前記指示フィールドのオフセット値が１未満の正数であり、特定の意味を有する値、例えば予約値（Ｒｅｓｅｒｖｅｄ）などであってもよいことを含むことができ、本出願の実施形態はこれに限定されない。
【００８７】
例えば、前記第一の情報を搬送するためのＢｅｔａｏｆｆｓｅｔテーブルは、テーブル１に示されてもよく、ここで、ＩがＵＣＩインデックスを表し、ＢｅｔａｏｆｆｓｅｔがＭＣＳ  ｏｆｆｓｅｔを表し、前記アップリンク伝送リソースのリソース数が１００でああると、前記ＵＣＩインデックスに応じて対応するリソースの割合の値が０．１であることを確定する場合、前記端末装置は、ＵＣＩの伝送のためのリソースの数が最大１０であることを確定することができ、さらに、前記端末装置は、確定されたアップリンク伝送リソース及びＭＣＳ  ｏｆｆｓｅｔに基づいてＵＣＩの送信方式を確定することができ、ここで説明を省略する。
【表１】
2021517756.tif 000019
【００８８】
状況３において、ＭＣＳ  ｏｆｆｅｓｅｔを示すための前記指示フィールドのオフセット値が第三の条件を満たしている場合、前記第一の情報は、ＵＣＩを伝送できる全てのビットを示すことに用いられてもよく、さらに、前記端末装置は、前記ＵＣＩに対応するＭＣＳ  ｏｆｆｓｅｔとアップリンクデータの変調及び符号化方式に従ってＵＣＩの変調及び符号化方式を確定することができる。これにより、端末装置は、送信待ちＵＣＩの変調符号化方式に従って前記ＵＣＩのビット数を組み合わせ、前記送信待ちＵＣＩを伝送することができ、ここでは、具体的な実現プロセスについて説明を省略する。
【００８９】
選択可能に、ＭＣＳ  ｏｆｆｅｓｅｔを示すための指示フィールドのオフセット値が第三の条件を満たしていることは、ＭＣＳ  ｏｆｆｅｓｅｔを示すための前記指示フィールドのオフセット値が１よりも大きい正数であり、特定の意味を有する値、例えば予約値（Ｒｅｓｅｒｖｅｄ）などであってもよいことを含むことができ、本出願の実施形態はこれに限定されない。
【００９０】
理解すべきこととして、以上に前記第一の情報に対する指示方式が例だけであり、本出願の実施形態では、ＵＣＩが制限方式で伝送されるか、非制限方式で伝送されるかは、他の方式によって示されてもよく、本出願の実施形態では前記第一の情報の指示方式が限定されない。
【００９１】
実施形態３において、ＭＣＳ  ｏｆｆｅｓｅｔを示すための前記指示フィールドは状況に応じてＭＣＳ  ｏｆｆｅｓｅｔと前記第一の情報を示す。
【００９２】
即ち既存のＢｅｔａｏｆｆｓｅｔを用いてＭＣＳ  ｏｆｆｅｓｅｔ又は前記第一の情報を示すことができるが、前記ＢｅｔａｏｆｆｓｅｔがＭＣＳ  ｏｆｆｅｓｅｔを示すか、前記前記第一の情報を示すかは、それぞれ異なる状況、又は異なるシーンに対応することができ、このようにして、特定の配置情報に基づいて前記指示フィールドに対して情報解析を行うことができ、例えば、データチャネルのタイプ、データ伝送のための時間領域長さなどの配置情報に基づき、前記ＢｅｔａｏｆｆｓｅｔがＭＣＳ  ｏｆｆｅｓｅｔを示すか、前記前記第一の情報を示すかを確定することができ、本出願の実施形態はこれに限定されない。
【００９３】
例えば、前記ＢｅｔａｏｆｆｓｅｔがＭＣＳ  ｏｆｆｅｓｅｔを示すこと、又は前記Ｂｅｔａｏｆｆｓｅｔが前記第一の情報を示すことは、それぞれ異なるデータチャネルのタイプに対応することができ、例えば、データチャネルのタイプがＴｙｐｅＡ（例えばミニスロットタイプ）である場合、前記Ｂｅｔａｏｆｆｓｅｔは、ＭＣＳ  ｏｆｆｅｓｅｔを示すことに用いられてもよく、データチャネルのタイプがＴｙｐｅＢ（例えばスロットタイプ）である場合、前記Ｂｅｔａｏｆｆｓｅｔは、第一の情報を示すことに用いられてもよく、前記端末装置は、データチャネルのタイプがＴｙｐｅＡである時に、前記Ｂｅｔａｏｆｆｓｅｔの情報をＭＣＳ  ｏｆｆｅｓｅｔとして解析し、データチャネルのタイプがＴｙｐｅＢである時に、前記Ｂｅｔａｏｆｆｓｅｔの情報を第一の情報として解析することができる。
【００９４】
また、例えば、前記ＢｅｔａｏｆｆｓｅｔがＭＣＳ  ｏｆｆｅｓｅｔを示すこと、又は前記Ｂｅｔａｏｆｆｓｅｔが前記第一の情報を示すことは、それぞれデータ伝送のための異なる時間領域長さに対応することができ、例えば、データ伝送のための時間領域長さが第一の長さ範囲に含まれる場合、前記Ｂｅｔａｏｆｆｓｅｔは、ＭＣＳ  ｏｆｆｅｓｅｔを示すことに用いられ、データ伝送のための時間領域長さが第二の長さ範囲に含まれる場合、前記Ｂｅｔａｏｆｆｓｅｔは、第一の情報を示すことに用いられてもよく、前記端末装置は、データ伝送のための時間領域長さが第一の長さ範囲に含まれる時に、前記Ｂｅｔａｏｆｆｓｅｔの情報をＭＣＳ  ｏｆｆｅｓｅｔとして解析し、データ伝送のための時間領域長さが第二の長さ範囲に含まれる時に、前記Ｂｅｔａｏｆｆｓｅｔの情報を前記第一の情報として解析することができる。
【００９５】
説明すべきこととして、ＢｅｔａｏｆｆｓｅｔがＭＣＳ  ｏｆｆｅｓｅｔを示すか、前記第一の情報を示すかを確定する上記方式は例だけであり、本出願の実施形態では、前記ＢｅｔａｏｆｆｓｅｔがＭＣＳ  ｏｆｆｅｓｅｔを示すか、前記第一の情報を示すかは、他の情報に基づいて確定されてもよく、本実施形態はこれに限定されない。
【００９６】
実施形態４において、ＭＣＳ  ｏｆｆｅｓｅｔを示すための前記指示フィールドの第一の部分の値は、伝送が制限されるアップリンク制御情報を示すことに用いられてもよく、ＭＣＳ  ｏｆｆｅｓｅｔを示すための前記指示フィールドの第一の部分の値は、伝送が制限されていないアップリンク制御情報を示すことに用いられる。
【００９７】
つまり、Ｂｅｔａｏｆｆｓｅｔの第一の部分の値は、どのＵＣＩが、伝送が制限される方式を用いて送信されるかを確定することに用いられてもよく、第二の部分の値は、どのＵＣＩが、伝送が制限されていない方式を用いて送信されるかを確定することに用いられてもよく、即ち前記ＵＣＩの全てのビットを送信することができる。
【００９８】
説明すべきこととして、ここで伝送が制限される方式は、前記送信待ちＵＣＩを処理した後、前記処理されたＵＣＩを送信することであってもよく、ここでの処理にはゼロパディング、繰り返し、圧縮、多重化と破棄などの処理方式が含まれるが、これらに限定されない。
【００９９】
例えば、テーブル１は、ＵＣＩインデックス０−３のＵＣＩが、伝送が制限される方式を用いて伝送され、ＵＣＩインデックス４−１５のＵＣＩが、伝送が制限されていない方式を用いて伝送され、即ち前記ＵＣＩを処理せずに前記ＵＣＩの全てのビットを伝送することを示すことに用いられてもよい。
【０１００】
実施形態５において、第二のＵＣＩの、ＭＣＳ  ｏｆｆｅｓｅｔを示すための指示フィールドに従って前記第一のＵＣＩに対応する第一の情報を確定する。
【０１０１】
本出願の実施形態では、複数のＵＣＩが存在すれば、各ＵＣＩがそれぞれの、ＭＣＳ  ｏｆｆｅｓｅｔを示すための指示フィールドに対応することができ、例えば、前記複数のＵＣＩが第一のＵＣＩと第二のＵＣＩを含み、前記第二のＵＣＩの前記指示フィールドが前記第二のＵＣＩを伝送するためのＭＣＳ  ｏｆｆｅｓｅｔを示すことに用いられてもよく、前記実施形態５では、前記第二のＵＣＩの指示フィールドはさらに前記第一のＵＣＩの伝送方式を確定し、例えば伝送が制限される方式を用いるか、伝送が制限されていない方式を用いるかを確定し、伝送が制限される方式を用いると、伝送を制限するためのビット数情報などを確定することに用いられてもよい。
【０１０２】
例えば、第二のＵＣＩの指示フィールドによって示されるオフセット値がある条件を満たしている時に、第一のＵＣＩが、伝送が制限される方式を用いて伝送されることを示すことができ、さらに、伝送を制限するためのビット数情報などを示すことに用いられてもよく、又は、第二のＵＣＩの指示フィールドによって示されるオフセット値がある条件を満たしている場合、前記第一のＵＣＩが、制限されていない伝送の方式を用いることなどを示す。
【０１０３】
以下に実施形態６から実施形態８を組み合わせ、前記第一のＵＣがＨＡＲＱ−ＡＣＫ情報であり、前記第二のＵＣＩがＣＳＩであることを例として、前記第一の情報の指示方式を説明し、当然ながら、前記第一のＵＣＩと前記第二のＵＣＩが他のＵＣＩであってもよく、本出願の実施形態はこれに限定されない。
【０１０４】
区分及び理解を容易にするために、前記第一のＵＣＩに対応する指示フィールドは第一の指示フィールドとして記述され、前記第二のＵＣＩに対応する指示フィールドは第二の指示フィールドとして記述される。
【０１０５】
実施形態６において、前記第一の指示フィールドと前記第二の指示フィールドの両方はオフセット値が０である構成を含む。
【０１０６】
理解すべきこととして、本出願の実施形態では、ＭＣＳ  ｏｆｆｅｓｅｔを示すための前記指示フィールドは、一つのＭＣＳオフセットテーブルであってもよく、制限ではなく例として、ＨＡＲＱ−ＡＣＫ情報に対応するＭＣＳ  ｏｆｆｅｓｅｔテーブルは、テーブル２に示されてもよく、ＣＳＩに対応するＭＣＳ  ｏｆｆｅｓｅｔテーブルは、テーブル３に示されてもよい。ここで、テーブル２では、Ｉ＿ＨＡＲＱ−ＡＣＫがＨＡＲＱ−ＡＣＫ情報のインデックスであり、Ｂｅｔａｏｆｆｓｅｔ＿ＨＡＲＱ−ＡＣＫがＨＡＲＱ−ＡＣＫ情報に対応するＭＣＳ  ｏｆｆｅｓｅｔであり、テーブル３では、Ｉ＿ＣＳＩがＣＳＩのインデックスであり、Ｂｅｔａｏｆｆｓｅｔ＿ＣＳＩがＣＳＩのＭＣＳ  ｏｆｆｓｅｔである。
【０１０７】
選択可能に、前記実施形態では、第二の指示フィールドのオフセット値が第一の特定条件を満たしている場合、アップリンク伝送リソースで、伝送が制限される方式を用いて前記第一のＵＣＩを伝送する（方式１と記述される）ことを示すことに用いられてもよく、又は、第二の指示フィールドのオフセット値が第二の特定条件を満たしている場合、アップリンク伝送リソースで、伝送が制限されていない方式を用いて前記第一のＵＣＩを伝送する（方式２と記述される）ことを示すことに用いられてもよく、又は、第一の指示フィールドのオフセット値が第三の特定条件を満たしている場合、アップリンク伝送リソースで、伝送が制限される方式を用いて前記第二のＵＣＩを伝送する（方式３と記述される）ことを示すことに用いられてもよい。
【０１０８】
以下、第二の指示フィールドのオフセット値が第一の特定条件を満たしていることが前記第二の指示フィールドのＢｅｔａｏｆｆｓｅｔが０であることであり、第二の指示フィールドのオフセット値が第二の特定条件を満たしていることが前記第二の指示フィールドのＢｅｔａｏｆｆｓｅｔが０よりも大きいことであり、前記第一の指示フィールドのオフセット値が第三の特定条件を満たしていることが前記第一の指示フィールドのオフセット値が０であることであることを説明し、本出願の実施形態はこれに限定されない。
【０１０９】
方式１において、Ｉ＿ＣＳＩに対応するＢｅｔａｏｆｆｓｅｔ＿ＣＳＩの値が０である場合、ＨＡＲＱ−ＡＣＫ情報のみを伝送することを示すことに用いられてもよく、さらに、前記ＨＡＲＱ−ＡＣＫ情報が、伝送が制限される伝送方式を用いて伝送されることを示すことに用いられてもよく、例えば、伝送が制限されるＨＡＲＱ−ＡＣＫ情報の最大ビット数がＮであってもよく、例えば、前記Ｎが２であってもよく、伝送が制限される前記最大ビット数Ｎに基づき、前記ＨＡＲＱ−ＡＣＫ情報に対応するＭＣＳ  ｏｆｆｓｅｔテーブルにおけるＢｅｔａｏｆｆｓｅｔ＿ＨＡＲＱ−ＡＣＫを組み合わせてＨＡＲＱ−ＡＣＫ情報を伝送することができ、具体的なプロセスについては、ここで説明を省略する。
【０１１０】
方式２において、Ｉ＿ＣＳＩに対応するＢｅｔａｏｆｆｓｅｔ＿ＣＳＩの値が０よりも大きい場合、前記端末装置は、ＨＡＲＱ−ＡＣＫ情報を伝送するためのビット数が制限されないことを確定することができ、即ち送信待ちＨＡＲＱ−ＡＣＫ情報の実際のビット数に従って前記ＨＡＲＱ−ＡＣＫ情報を伝送することができ、ここで、ＨＡＲＱ−ＡＣＫ情報を伝送するためのＭＣＳレベルがテーブル２に示されるＢｅｔａｏｆｆｓｅｔ＿ＨＡＲＱ−ＡＣＫに基づいて確定されてもよく、ＣＳＩを伝送するためのＭＣＳレベルがテーブル３に示すＢｅｔａｏｆｆｓｅｔ＿ＣＳＩに基づいて確定されてもよい。
【０１１１】
方式３において、Ｉ＿ＨＡＲＱ−ＡＣＫに対応するＢｅｔａｏｆｆｓｅｔ＿ＨＡＲＱ−ＡＣＫの値が０である場合、前記端末装置は、前記ＨＡＲＱ−ＡＣＫ情報を伝送しないことを確定することができ、この場合、さらに伝送が制限される方式を用いてＣＳＩを伝送することを確定することができる。
【０１１２】
したがって、実施形態６では、前記第一の情報が交差隠し方式で示されてもよく、前記第一の情報への指示の柔軟性が向上し、前記指示方式により、ＨＡＲＱ−ＡＣＫとＣＳＩの伝送が同時に制限されてもよく、アップリンクデータ伝送の信頼性の保証に役立つ。
【０１１３】
そして、ＣＳＩの重要性／緊急度がＨＡＲＱ−ＡＣＫ情報よりも低いため、本出願の実施形態ではＣＳＩ伝送の制限が優先的に考えられ、それによって伝送リソースが限られている場合、ＣＳＩ情報が優先的に破棄され、ＨＡＲＱ−ＡＣＫ情報の伝送を保証し、ダウンリンク伝送効率の最大化を達成できる。
【０１１４】
また、ＨＡＲＱ−ＡＣＫ伝送のためのビット数／伝送リソースをＣＳＩの指示フィールドによって明示的又は暗黙的に制限することにより、複数の伝送方式、例えばＣＳＩとＨＡＲＱ−ＡＣＫの両方がニューズに応じて伝送される（即ち制限されない伝送）こと、ＣＳＩが伝送されないこと、ＡＨＡＲＱ−ＡＣＫの伝送が制限されること、ＣＳＩとＨＡＲＱ−ＡＣＫの両方が伝送されないことなどを実現することができる。これにより、アップリンク伝送の信頼性とダウンリンク伝送の伝送効率の折衷を実現することができる。
【表２】
2021517756.tif 000020
【表３】
2021517756.tif 000021
【０１１５】
実施形態７において、前記第一の指示フィールドと前記第二の指示フィールドで１つだけの指示フィールドは、Ｂｅｔａｏｆｆｓｅｔの値が０である構成を含む。
【０１１６】
理解すべきこととして、本出願の実施形態では、ＭＣＳ  ｏｆｆｅｓｅｔを示すための前記指示フィールドは一つのＭＣＳオフセットテーブルであってもよく、制限ではなく例として、ＨＡＲＱ−ＡＣＫ情報に対応するＭＣＳ  ｏｆｆｅｓｅｔテーブルはテーブル４に示されてもよく、ＣＳＩに対応するＭＣＳ  ｏｆｆｅｓｅｔテーブルはテーブル３に示されてもよい。ここで、テーブル４では、Ｉ＿ＨＡＲＱ−ＡＣＫがＨＡＲＱ−ＡＣＫ情報のインデックスであり、Ｂｅｔａｏｆｆｓｅｔ＿ＨＡＲＱ−ＡＣＫがＨＡＲＱ−ＡＣＫ情報に対応するＭＣＳ  ｏｆｆｅｓｅｔであり、ＣＳＩに対応するＭＣＳ  ｏｆｆｅｓｅｔテーブル、即ちテーブル３に、Ｂｅｔａｏｆｆｓｅｔの値が０である構成が含まれる。
【０１１７】
選択可能に、前記実施形態７では、第二の指示フィールドのオフセット値が第四の特定条件を満たしている場合、アップリンク伝送リソースで、伝送が制限される方式を用いて前記第一のＵＣＩを伝送する（方式４と記述される）ことを示すことに用いられてもよく、又は、第二の指示フィールドのオフセット値が第五の特定条件を満たしている場合、アップリンク伝送リソースで、伝送が制限されていない方式を用いて前記第一のＵＣＩを伝送する（方式５と記述される）ことを示すことに用いられてもよい。
【０１１８】
以下に第二の指示フィールドのオフセット値が第四の特定条件を満たしていることが前記第二の指示フィールドのＢｅｔａｏｆｆｓｅｔが０であることであり、第二の指示フィールドのオフセット値が第五の特定条件を満たしていることが前記第二の指示フィールドのＢｅｔａｏｆｆｓｅｔが０よりも大きいことであることを説明し、当然ながら、本出願の実施形態はこれに限定されない。
【０１１９】
方式４において、Ｉ＿ＣＳＩに対応するＢｅｔａｏｆｆｓｅｔ＿ＣＳＩの値が０である場合、ＨＡＲＱ−ＡＣＫ情報のみを伝送することを示すことに用いられてもよく、且つＨＡＲＱ−ＡＣＫ情報を伝送するための最大ビット数がＮであってもよく、例えば前記Ｎが２であってもよく、ここで、ＨＡＲＱ−ＡＣＫ情報を伝送するためのＭＣＳレベルについて前記ＨＡＲＱ−ＡＣＫ情報に対応するＢｅｔａｏｆｆｓｅｔ＿ＨＡＲＱ−ＡＣＫ、例えば、テーブル４におけるＢｅｔａｏｆｆｓｅｔ＿ＨＡＲＱ−ＡＣＫを参照することができる。
【０１２０】
方式５において、Ｉ＿ＣＳＩに対応するＢｅｔａｏｆｆｓｅｔ＿ＣＳＩの値が０よりも大きい場合、ＨＡＲＱ−ＡＣＫ情報を伝送するためのビット数が制限されなく、即ち送信待ちＨＡＲＱ−ＡＣＫ情報の実際のビット数に従って前記ＨＡＲＱ−ＡＣＫ情報を伝送し、即ちＨＡＲＱ−ＡＣＫ情報を伝送するための全てのビットに従って前記ＨＡＲＱ−ＡＣＫ情報を伝送することができ、ここで、ＨＡＲＱ−ＡＣＫ情報を伝送するためのＭＣＳレベルがテーブル４に示されるＢｅｔａｏｆｆｓｅｔ＿ＨＡＲＱ−ＡＣＫに基づいて確定されてもよく、ＣＳＩを伝送するためのＭＣＳレベルがテーブル５に示すＢｅｔａｏｆｆｓｅｔ＿ＣＳＩに基づいて確定されてもよい。
【０１２１】
したがって、実施形態７では、前記第一の情報が交差隠し方式で示されてもよく、前記第一の情報への指示の柔軟性が向上し、前記指示方式により、ＨＡＲＱ−ＡＣＫとＣＳＩの伝送が同時に制限されてもよく、アップリンクデータ伝送の信頼性の保証に役立つ。
【０１２２】
そして、ＣＳＩの重要性／緊急度がＨＡＲＱ−ＡＣＫ情報よりも低いため、本出願の実施形態ではＣＳＩ伝送の制限が優先的に考えられ、それによって伝送リソースが限られている場合、ＣＳＩ情報が優先的に破棄され、ＨＡＲＱ−ＡＣＫ情報の伝送を保証し、ダウンリンク伝送効率の最大化を達成できる。
【０１２３】
また、ＨＡＲＱ−ＡＣＫ伝送のためのビット数／伝送リソースをＣＳＩの指示フィールドによって明示的又は暗黙的に制限することにより、複数の伝送方式、例えばＣＳＩとＨＡＲＱ−ＡＣＫの両方がニューズに応じて伝送される（即ち制限されない伝送）こと、ＣＳＩが伝送されないこと、ＡＨＡＲＱ−ＡＣＫの伝送が制限されること、ＣＳＩとＨＡＲＱ−ＡＣＫの両方が伝送されないことなどを実現することができる。これにより、アップリンク伝送の信頼性とダウンリンク伝送の伝送効率の折衷を実現することができる。
【０１２４】
一方、実施形態７では、より多くの構成がＨＡＲＱ−ＡＣＫリソース指示に用いられため、ＨＡＲＱ−ＡＣＫ指示の柔軟性が向上する。
【表４】
2021517756.tif 000022
【０１２５】
実施形態８では、前記第一の指示フィールドと前記第二の指示フィールドにおける第一の指示フィールドには複数のＭＣＳ  ｏｆｆｓｅｔテーブルが含まれる。
【０１２６】
前記実施形態８では、前記第一の指示フィールドには複数のＭＣＳオフセットテーブルが含まれてもよく、各ＭＣＳオフセットテーブルが異なる状況、又は異なるシーンに対応することができ、例えば、信頼性要求が高いアップリンクデータ伝送に対して、オフセット（ｏｆｆｓｅｔ）範囲を小さくし、粒度を細かくする必要があり、この場合、前記複数のＭＣＳオフセットテーブルのうち、オフセット（ｏｆｆｓｅｔ）範囲が小さく、粒度が細かいＭＣＳオフセットテーブルを用いることができ、又は、信頼性要求が高くないアップリンクデータ伝送に対して、前記複数のＭＣＳオフセットテーブルのうち、オフセット（ｏｆｆｓｅｔ）範囲が大きく、粒度が粗いＭＣＳオフセットテーブルを用いることができる。
【０１２７】
以下に前記第一の指示フィールドに２つのＭＣＳオフセット（ｏｆｆｓｅｔ）テーブルが含まれることを例として説明し、当然ながら、前記第一の指示フィールドにもより多くのＭＣＳオフセット（ｏｆｆｓｅｔ）テーブルが含まれてもよく、前記第一の指示フィールドにより多くのＭＣＳオフセット（ｏｆｆｓｅｔ）テーブルが含まれる場合の指示方式が同様であるため、ここで説明を省略する。
【０１２８】
制限ではなく例として、テーブル１とテーブル４は、ＨＡＲＱ−ＡＣＫ情報に対応する２つのＭＣＳオフセット（ｏｆｆｓｅｔ）テーブルであってもよく、それぞれテーブルａとテーブルｂとして記述される。
【０１２９】
選択可能に、前記実施形態８では、第二の指示フィールドのオフセット値が第六の特定条件を満たしている場合、アップリンク伝送リソースで、伝送が制限される方式を用いて前記第一のＵＣＩを伝送する（方式６と記述される）ことを示すことに用いられてもよく、又は、第二の指示フィールドのオフセット値が第七の特定条件を満たしている場合、アップリンク伝送リソースで、伝送が制限されていない方式を用いて前記第一のＵＣＩを伝送する（方式７と記述される）ことを示すことに用いられてもよい。
【０１３０】
以下に第二の指示フィールドのオフセット値が第六の特定条件を満たしていることが前記第二の指示フィールドのＢｅｔａｏｆｆｓｅｔが０であることであり、第二の指示フィールドのオフセット値が第七の特定条件を満たしていることが前記第二の指示フィールドのＢｅｔａｏｆｆｓｅｔが０よりも大きいことであることを説明し、当然ながら、本出願の実施形態はこれに限定されない。
【０１３１】
選択可能に、本出願の実施形態では、前記第一の指示フィールドに含まれる２つのＭＣＳオフセット（ｏｆｆｓｅｔ）テーブルは、テーブルａにおけるＢｅｔａｏｆｆｓｅｔの最大値がテーブルｂにおけるＢｅｔａｏｆｆｓｅｔの最大値よりも小さく、又は、テーブルａにＢｅｔａｏｆｆｓｅｔの値がゼロである構成が含まれることなどの特徴を有することができる。
【０１３２】
方式６において、Ｉ＿ＣＳＩに対応するＢｅｔａｏｆｆｓｅｔ＿ＣＳＩの値が０である場合、ＨＡＲＱ−ＡＣＫ情報のみを伝送することを示すことに用いられてもよく、且つＨＡＲＱ−ＡＣＫ情報を伝送するための最大ビット数がＮであってもよく、例えば前記Ｎが２であってもよく、このシーンで、ＨＡＲＱ−ＡＣＫ情報を伝送するためのＭＣＳレベルについてテーブルａを参照することができる。
【０１３３】
方式７において、Ｉ＿ＣＳＩに対応するＢｅｔａｏｆｆｓｅｔ＿ＣＳＩの値が０よりも大きい場合、ＨＡＲＱ−ＡＣＫ情報を伝送するためのビット数が制限されなく、即ち送信待ちＨＡＲＱ−ＡＣＫ情報の実際のビット数に従って前記ＨＡＲＱ−ＡＣＫ情報を伝送することができ、このシーンで、ＨＡＲＱ−ＡＣＫ情報を伝送するためのＭＣＳレベルについてテーブルｂを参照することができ、ＣＳＩを伝送するためのＭＣＳレベルについてＣＳＩに対応するＭＣＳ  ｏｆｆｓｅｔテーブルを参照することができる。
【０１３４】
したがって、実施形態８では、前記第一の情報が交差隠し方式で示されてもよく、前記第一の情報への指示の柔軟性が向上し、前記指示方式により、ＨＡＲＱ−ＡＣＫとＣＳＩの伝送が同時に制限されてもよく、アップリンクデータ伝送の信頼性の保証に役立つ。
【０１３５】
そして、ＣＳＩの重要性／緊急度がＨＡＲＱ−ＡＣＫ情報よりも低いため、本出願の実施形態ではＣＳＩ伝送の制限が優先的に考えられ、それによって伝送リソースが限られている場合、ＣＳＩ情報が優先的に破棄され、ＨＡＲＱ−ＡＣＫ情報の伝送を保証し、ダウンリンク伝送効率の最大化を達成できる。
【０１３６】
また、ＨＡＲＱ−ＡＣＫ伝送のためのビット数／伝送リソースをＣＳＩの指示フィールドによって明示的又は暗黙的に制限することにより、複数の伝送方式、例えば、ＣＳＩとＨＡＲＱ−ＡＣＫの両方がニューズに応じて伝送される（即ち制限されない伝送）こと、ＣＳＩが伝送されないこと、ＡＨＡＲＱ−ＡＣＫの伝送が制限されること、ＣＳＩとＨＡＲＱ−ＡＣＫの両方が伝送されないことなどを実現することができる。これにより、アップリンク伝送の信頼性とダウンリンク伝送の伝送効率の折衷を実現することができる。
【０１３７】
そして、実施形態８では、１つのＵＣＩが複数のＭＣＳ  ｏｆｆｓｅｔテーブルに対応してもよい。これにより、ＭＣＳ  ｏｆｆｓｅｔの指示範囲がより柔軟になり、且つ複数のシーンに対して適切なＭＣＳ  ｏｆｆｓｅｔテーブルを構成することができ、データ伝送のニーズを満たすことに役立つ。
【０１３８】
実施形態では、前記第一の情報は、ＭＣＳオフセットを示すための複数の指示フィールドに搬送され、前記複数の指示フィールドのうちの各指示フィールドがそれぞれ相応するビット数範囲に対応し、前記ビット数範囲が前記アップリンク制御情報の伝送を制限するためのビット数の範囲を示すことに用いられる。
【０１３９】
例えば、前記第一の情報は、３つの指示フィールドに搬送されてもよく、前記３つの指示フィールドのうちの各指示フィールドが相応するビット数範囲に対応することができ、例えば、前記３つの指示フィールドは指示フィールド１、指示フィールド２と指示フィールド３を含むことができ、ここで、前記指示フィールド１に対応するビット数範囲が０〜２であってもよく、即ち最大２ビットのＵＣＩを伝送することができ、前記指示フィールド２に対応するビット数範囲が２よりも大きく且つ１１未満であってもよく、前記指示フィールド３に対応するビット数範囲が１１よりも大きくてもよく、前記３つの指示フィールドのオフセット値を設定することにより、前記ＵＣＩの伝送のためのビット数範囲を示すことができる。
【０１４０】
制限ではなく例として、指示フィールド１、指示フィールド２、指示フィールド３は全てｂｅｔａｏｆｆｓｅｔｄが０である構成を含み、前記指示フィールド１に対応するＭＣＳ  ｂｅｔａｏｆｆｓｅｔテーブルはテーブル５に示されてもよく、指示フィールド２に対応するＭＣＳ  ｂｅｔａｏｆｆｓｅｔテーブルはテーブル６に示されてもよく、指示フィールド３がそれぞれ対応するＭＣＳ  ｂｅｔａｏｆｆｓｅｔテーブルはテーブル７に示されてもよい。
【０１４１】
制限ではなく例として、指示フィールド３と指示フィールド２におけるｂｅｔａｏｆｆｓｅｔが０に設定され、且つ、指示フィールド１におけるｂｅｔａｏｆｆｓｅｔが０よりも大きく設定される場合、最大２ビット（ｂｉｔ）のＨＡＲＱ−ＡＣＫを伝送することを示すことに用いられ、指示フィールド１と指示フィールド２におけるｂｅｔａｏｆｆｓｅｔが０に設定され、且つ指示フィールド３におけるｂｅｔａｏｆｆｓｅｔが０よりも設定される場合、１１ビットよりも大きいＨＡＲＱ−ＡＣＫを伝送できることを示し、指示フィールド１と指示フィールド３におけるｂｅｔａｏｆｆｓｅｔが０に設定され、且つ、指示フィールド２におけるｂｅｔａｏｆｆｓｅｔが０よりも大きく設定される場合、３〜１１ビットのＨＡＲＱ−ＡＣＫを伝送できることを示す。
【表５】
2021517756.tif 000023
【表６】
2021517756.tif 000024
【表７】
2021517756.tif 000025
【０１４２】
理解すべきこととして、以上に前記複数の指示フィールドによって前記アップリンク制御情報の伝送のためのビット数の範囲を示す指示方式は例だけであるが、本出願の実施形態に対するいかなる限定を構成するべきものではなく、本出願の実施形態では、他の指示方式によって前記アップリンク制御情報の伝送のためのビット数の範囲を確定することもでき、本出願の実施形態はこれに限定されない。
【０１４３】
したがって、前記実施形態９では、複数の指示フィールドによってＵＣＩの伝送のためのビット数を示すことができ、ＵＣＩリソースへの指示の柔軟性が向上する。
【０１４４】
以上に図２〜図４を組み合わせ、端末装置の観点から本出願の実施形態による情報伝送方法を詳細に説明し、以下に図５を組み合わせ、ネットワーク装置の観点から本出願の他の実施形態による情報伝送方法を詳細に説明する。理解すべきこととして、ネットワーク装置側の説明と端末装置側の説明が相互に対応し、同様の説明について上記を参照でき、繰り返しを回避するために、ここで説明を省略しない。
【０１４５】
図５は本出願の他の実施形態による情報伝送方法３００の概略フローチャートである。前記方法３００は図１に示す通信システムでのネットワーク装置によって実行されてもよく、図５に示すように、前記方法３００は次の内容を含む。
【０１４６】
Ｓ３１０において、ネットワーク装置は、第一の情報を確定し、前記第一の情報がアップリンク伝送リソースにおける、アップリンク制御情報を伝送するための第一のリソースを確定することに用いられる。
【０１４７】
Ｓ３２０において、前記ネットワーク装置は、端末装置へ第一の情報を送信する。
【０１４８】
選択可能に、いくつかの実施形態では、前記第一の情報は、
アップリンク伝送リソースでアップリンク制御情報を伝送できるか否か、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプのうちの少なくとも１つを示すことに用いられる。
【０１４９】
選択可能に、いくつかの実施形態では、前記第一の情報は明示的又は暗黙的に示される。
【０１５０】
選択可能に、いくつかの実施形態では、前記第一の情報は、アップリンク制御情報の変調及び符号化方式（ＭＣＳ）オフセットを示すための指示フィールドに搬送される。
【０１５１】
選択可能に、いくつかの実施形態では、前記第一の情報は、アップリンク制御情報のＭＣＳオフセットを示すための複数の指示フィールドに搬送され、前記複数の指示フィールドのうちの各指示フィールドがそれぞれビット数範囲に対応し、前記ビット数範囲が前記アップリンク制御情報の伝送を制限するためのビット数の範囲を示すことに用いられる。
【０１５２】
選択可能に、いくつかの実施形態では、前記指示フィールドによって示されるオフセット値が第一の条件を満たしている場合、前記アップリンク伝送リソースでアップリンク制御情報を伝送することができないことを示すことに用いられる。
【０１５３】
選択可能に、いくつかの実施形態では、前記指示フィールドによって示されるオフセット値が第一の条件を満たしていることは、前記指示フィールドによって示されるオフセット値がゼロであることを含む。
【０１５４】
選択可能に、いくつかの実施形態では、前記指示フィールドの第一の部分の値は伝送が制限されるアップリンク制御情報を示すことに用いられ、前記指示フィールドの第二の部分の値は伝送が制限されないアップリンク制御情報を示すことに用いられる。
【０１５５】
選択可能に、いくつかの実施形態では、前記指示フィールドは、ハイブリッド自動再送リクエスト確認（ＨＡＲＱ−ＡＣＫ）情報伝送が制限されているか否かを示すことに用いられる。
【０１５６】
選択可能に、いくつかの実施形態では、前記指示フィールドがチャネル状態情報（ＣＳＩ）に対応する指示フィールドであり、前記指示フィールドによって示されるオフセット値が特定の条件を満たしている場合、伝送可能なアップリンク制御情報のビット数がＮ以下であること、及び／又は伝送可能なアップリンク制御情報のタイプがＨＡＲＱ−ＡＣＫ情報であることを示すことに用いられ、ここで、前記Ｎが正整数である。
【０１５７】
選択可能に、いくつかの実施形態では、前記指示フィールドによって示されるオフセット値が特定の条件を満たしていることは、前記指示フィールドによって示されるオフセット値がゼロであることを含むことができる。
【０１５８】
選択可能に、いくつかの実施形態では、前記端末装置はデータチャネルのタイプ及び／又はデータ伝送のための時間領域長さに基づいて前記第一の情報を確定する。
【０１５９】
選択可能に、いくつかの実施形態では、前記第一の情報は半永続的リソースに専属する。
【０１６０】
選択可能に、いくつかの実施形態では、前記アップリンク制御情報は、
ＨＡＲＱ−ＡＣＫ、ランクランク指示（ＲＩ）、チャネル品質指示（ＣＱＩ）、プリコーディングマトリックス指示（ＰＭＩ）、チャネル状態情報基準信号リソース指示（ＣＲＩ）、最強層指示（ＳＬＩ）とレイヤ１基準信号受信電力（Ｌ１−ＲＳＲＰ）のうちの少なくとも１つを含む。
【０１６１】
選択可能に、いくつかの実施形態では、前記第一の情報は半永続的リソースに専属する。
【０１６２】
以上に図２〜図５を組み合わせ、本出願の方法の実施形態を詳細に説明し、以下に図６〜図９を組み合わせ、本出願の装置の実施形態を詳細に説明し、理解すべきこととして、装置の実施形態は、方法の実施形態に対応し、類似の説明について方法の実施形態を参照できる。
【０１６３】
図６は本出願の実施形態による情報伝送装置４００を示す概略ブロック図である。図６に示すように、前記装置４００は、
ネットワーク装置から送信された第一の情報を受信するように構成される通信モジュール４１０と、
前記第一の情報に基づき、アップリンク伝送リソースにおける、アップリンク制御情報を伝送するための第一のリソースを確定するように構成される確定ユニット４２０とを備え、
前記通信モジュール４１０がさらに前記第一のリソースに基づき、前記アップリンク制御情報を伝送するように構成される。
【０１６４】
選択可能に、いくつかの実施形態では、前記第一の情報は、
アップリンク伝送リソースでアップリンク制御情報を伝送できるか否か、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプのうちの少なくとも１つを示すことに用いられる。
【０１６５】
選択可能に、いくつかの実施形態では、前記第一の情報は明示的又は暗黙的に示される。
【０１６６】
選択可能に、いくつかの実施形態では、前記第一の情報は、アップリンク制御情報の変調及び符号化方式（ＭＣＳ）オフセットを示すための指示フィールドに搬送される。
【０１６７】
選択可能に、いくつかの実施形態では、前記第一の情報は、アップリンク制御情報のＭＣＳオフセットを示すための複数の指示フィールドに搬送され、前記複数の指示フィールドのうちの各指示フィールドがそれぞれ相応するビット数範囲に対応し、前記ビット数範囲が前記アップリンク制御情報の伝送を制限するためのビット数の範囲を示すことに用いられる。
【０１６８】
選択可能に、いくつかの実施形態では、前記指示フィールドによって示されるオフセット値が第一の条件を満たしている場合、前記アップリンク伝送リソースでアップリンク制御情報を伝送することができないことを示すことに用いられる。
【０１６９】
選択可能に、いくつかの実施形態では、前記指示フィールドによって示されるオフセット値が第一の条件を満たしていることは、前記指示フィールドによって示されるオフセット値がゼロであることを含む。
【０１７０】
選択可能に、いくつかの実施形態では、前記指示フィールドの第一の部分の値は伝送が制限されるアップリンク制御情報を示すことに用いられ、前記指示フィールドの第二の部分の値は伝送が制限されないアップリンク制御情報を示すことに用いられる。
【０１７１】
選択可能に、いくつかの実施形態では、前記指示フィールドは、ハイブリッド自動再送リクエスト確認（ＨＡＲＱ−ＡＣＫ）情報伝送が制限されているか否かを示すことに用いられる。
【０１７２】
選択可能に、いくつかの実施形態では、前記指示フィールドがチャネル状態情報（ＣＳＩ）に対応する指示フィールドであり、前記指示フィールドによって示されるオフセット値が特定の条件を満たしている場合、伝送可能なアップリンク制御情報のビット数がＮ以下であること、及び／又は伝送可能なアップリンク制御情報のタイプがＨＡＲＱ−ＡＣＫ情報であることを示すことに用いられ、ここで、前記Ｎが正整数である。
【０１７３】
選択可能に、いくつかの実施形態では、前記指示フィールドによって示されるオフセット値が特定の条件を満たしていることは、前記指示フィールドによって示されるオフセット値がゼロであることを含むことができる。
【０１７４】
選択可能に、いくつかの実施形態では、前記端末装置はデータチャネルのタイプ及び／又はデータ伝送のための時間領域長さに基づいて前記第一の情報を確定する。
【０１７５】
選択可能に、いくつかの実施形態では、前記第一の情報は半永続的リソースに専属する。
【０１７６】
選択可能に、いくつかの実施形態では、前記アップリンク制御情報は、
ＨＡＲＱ−ＡＣＫ、ランクランク指示（ＲＩ）、チャネル品質指示（ＣＱＩ）、プリコーディングマトリックス指示（ＰＭＩ）、チャネル状態情報基準信号リソース指示（ＣＲＩ）、最強層指示（ＳＬＩ）とレイヤ１基準信号受信電力（Ｌ１−ＲＳＲＰ）のうちの少なくとも１つを含む。
【０１７７】
選択可能に、いくつかの実施形態では、前記第一の情報は半永続的リソースに専属する。
【０１７８】
理解すべきこととして、本出願の実施形態による情報伝送装置４００は、本出願の方法の実施形態における端末装置に対応してもよく、且つ装置４００の各ユニットの上記と他の操作及び／又は機能はそれぞれ図２に示す方法２００における端末装置の対応するプロセスを実現するためのものであり、簡潔するために、ここでは説明を省略する。
【０１７９】
図７は本出願の実施形態による情報伝送装置の概略ブロック図である。図７の装置５００は、
第一の情報を確定するように構成され、前記第一の情報がアップリンク伝送リソースにおける、アップリンク制御情報を伝送するための第一のリソースを確定することに用いられる確定モジュール５１０と、
端末装置へ第一の情報を送信するように構成される通信モジュール５２０とを備える。
【０１８０】
選択可能に、いくつかの実施形態では、前記第一の情報は、
アップリンク伝送リソースでアップリンク制御情報を伝送できるか否か、アップリンク制御情報の伝送に利用可能なリソースの数、アップリンク制御情報の伝送に利用可能なリソースの割合、伝送可能なアップリンク制御情報のビット数及び伝送可能なアップリンク制御情報のタイプのうちの少なくとも１つを示すことに用いられる。
【０１８１】
選択可能に、いくつかの実施形態では、前記第一の情報は明示的又は暗黙的に示される。
【０１８２】
選択可能に、いくつかの実施形態では、前記第一の情報は、アップリンク制御情報の変調及び符号化方式（ＭＣＳ）オフセットを示すための指示フィールドに搬送される。
【０１８３】
選択可能に、いくつかの実施形態では、前記第一の情報は、アップリンク制御情報のＭＣＳオフセットを示すための複数の指示フィールドに搬送され、前記複数の指示フィールドのうちの各指示フィールドがそれぞれ相応するビット数範囲に対応し、前記ビット数範囲が前記アップリンク制御情報の伝送を制限するためのビット数の範囲を示すことに用いられる。
【０１８４】
選択可能に、いくつかの実施形態では、前記指示フィールドによって示されるオフセット値が第一の条件を満たしている場合、前記アップリンク伝送リソースでアップリンク制御情報を伝送することができないことを示すことに用いられる。
【０１８５】
選択可能に、いくつかの実施形態では、前記指示フィールドによって示されるオフセット値が第一の条件を満たしていることは、前記指示フィールドによって示されるオフセット値がゼロであることを含む。
【０１８６】
選択可能に、いくつかの実施形態では、前記指示フィールドの第一の部分の値は、伝送が制限されるアップリンク制御情報を示すことに用いられ、前記指示フィールドの第二の部分の値は、伝送が制限されないアップリンク制御情報を示すことに用いられる。
【０１８７】
選択可能に、いくつかの実施形態では、前記指示フィールドは、ハイブリッド自動再送リクエスト確認（ＨＡＲＱ−ＡＣＫ）情報伝送が制限されているか否かを示すことに用いられる。
【０１８８】
選択可能に、いくつかの実施形態では、前記指示フィールドがチャネル状態情報（ＣＳＩ）に対応する指示フィールドであり、前記指示フィールドによって示されるオフセット値が特定の条件を満たしている場合、伝送可能なアップリンク制御情報のビット数がＮ以下であること、及び／又は伝送可能なアップリンク制御情報のタイプがＨＡＲＱ−ＡＣＫ情報であることを示すことに用いられ、ここで、前記Ｎが正整数である。
【０１８９】
選択可能に、いくつかの実施形態では、前記指示フィールドによって示されるオフセット値が特定の条件を満たしていることは、前記指示フィールドによって示されるオフセット値がゼロであることを含むことができる。
【０１９０】
選択可能に、いくつかの実施形態では、前記端末装置はデータチャネルのタイプ及び／又はデータ伝送のための時間領域長さに基づいて前記第一の情報を確定する。
【０１９１】
選択可能に、いくつかの実施形態では、前記第一の情報は半永続的リソースに専属する。
【０１９２】
選択可能に、いくつかの実施形態では、前記アップリンク制御情報は、
ＨＡＲＱ−ＡＣＫ、ランクランク指示（ＲＩ）、チャネル品質指示（ＣＱＩ）、プリコーディングマトリックス指示（ＰＭＩ）、チャネル状態情報基準信号リソース指示（ＣＲＩ）、最強層指示（ＳＬＩ）とレイヤ１基準信号受信電力（Ｌ１−ＲＳＲＰ）のうちの少なくとも１つを含む。
【０１９３】
選択可能に、いくつかの実施形態では、前記第一の情報は半永続的リソースに専属する。
【０１９４】
具体的には、前記装置５００は、上記方法３００で記載されるネットワーク装置に対応することができ（例えば上記方法３００で記載されるネットワーク装置に構成されてもよく又はそれ自体が前記ネットワーク装置である）、且つ、前記装置５００の各モジュール又はユニットはそれぞれ上記方法３００におけるネットワーク装置によって実行される各動作又は処理プロセスを実行することに用いられ、ここで、繰り返し説明を回避するために、その詳細な説明を省略する。
【０１９５】
図８に示すように、本出願の実施形態はさらに図２における方法２００に対応する端末装置の内容の実行に利用可能な図６の装置４００とすることができる端末装置６００を提供する。前記装置６００は、入力インタフェース６１０、出力インタフェース６２０、プロセッサ６３０及びメモリ６４０を備え、前記入力インタフェース６１０、出力インタフェース６２０、プロセッサ６３０とメモリ６４０がバスシステムを介して接続されてもよい。前記メモリ６４０はプログラム、コマンド又はコードを記憶するように構成される。前記プロセッサ６３０は前記メモリ６４０でのプログラム、コマンド又はコードを実行して、信号を受信するように入力インタフェース６１０を制御し、信号を送信するように出力インタフェース６２０を制御し、前記方法の実施形態における操作を完了するように構成される。
【０１９６】
理解すべきものとして、本出願の実施形態では、前記プロセッサ６３０は中央処理ユニット（Ｃｅｎｔｒａｌ  Ｐｒｏｃｅｓｓｉｎｇ  Ｕｎｉｔ：「ＣＰＵ」と略称）であってもよく、前記プロセッサ６３０はさらに他の汎用プロセッサ、デジタル信号プロセッサ（ＤＳＰ）、専用集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサは、マイクロプロセッサであってもよく、又は前記プロセッサはいずれかの従来のプロセッサなどであってもよい。
【０１９７】
前記メモリ６４０は、読み取り専用メモリとランダムアクセスメモリを含み、プロセッサ６３０へコマンドとデータを提供することができる。メモリ６４０の一部はさらに不揮発性ランダムアクセスメモリを含むことができる。例えば、メモリ６４０はさらに装置タイプの情報を記憶することができる。
【０１９８】
実施プロセスでは、上記方法の各内容は、プロセッサ６３０におけるハードウェアの集積論理回路又はソフトウェアの形のコマンドによって完了されてもよい。本出願の実施形態を組み合わせて開示される方法の内容は、ハードウェアプロセッサによって実行されて完了され、又はプロセッサにおけるハードウェア及びソフトウェアモジュールの組み合わせで実行されて完了されるように直接具現化されてもよい。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。前記記憶媒体は、メモリ６４０に位置し、プロセッサ６３０はメモリ６４０における情報を読み取り、そのハードウェアと組み合わせて上記方法の内容を完了する。繰り返しを回避するために、ここで詳細な説明を省略する。
【０１９９】
一つの具体的な実施形態では、図６の装置４００が備える通信モジュール４１０は、図８の前記出力インタフェース６２０と前記入力インタフェース６１０で実現されてもよく、図６の装置４００が備える確定モジュール４２０は、図８の前記プロセッサ６３０で実現されてもよい。
【０２００】
図９に示すように、本出願の実施形態はさらに図５における方法３００に対応するネットワーク装置の内容の実行に利用可能な図７の装置５００とすることができる情報伝送装置７００を提供する。前記装置７００は、入力インタフェース７１０、出力インタフェース７２０、プロセッサ７３０及びメモリ７４０を備え、前記入力インタフェース７１０、出力インタフェース７２０、プロセッサ７３０とメモリ７４０がバスシステムを介して接続されてもよい。前記メモリ７４０はプログラム、コマンド又はコードを記憶するように構成される。前記プロセッサ７３０は前記メモリ７４０でのプログラム、コマンド又はコードを実行して、信号を受信するように入力インタフェース７１０を制御し、信号を送信するように出力インタフェース７２０を制御し、前記方法の実施形態における操作を完了するように構成される。
【０２０１】
理解すべきこととして、本出願の実施形態では、前記プロセッサ７３０は中央処理ユニット（Ｃｅｎｔｒａｌ  Ｐｒｏｃｅｓｓｉｎｇ  Ｕｎｉｔ：「ＣＰＵ」と略称）であってもよく、前記プロセッサ７３０はさらに他の汎用プロセッサ、デジタル信号プロセッサ（ＤＳＰ）、専用集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は前記プロセッサはいずれかの従来のプロセッサなどであってもよい。
【０２０２】
前記メモリ７４０は、読み取り専用メモリとランダムアクセスメモリを含み、そしてプロセッサ７３０へコマンドとデータを提供することができる。メモリ７４０の一部は、さらに不揮発性ランダムアクセスメモリを含むことができる。例えば、メモリ７４０はさらに装置タイプの情報を記憶することができる。
【０２０３】
実施プロセスでは、上記方法の各内容は、プロセッサ７３０におけるハードウェアの集積論理回路又はソフトウェアの形のコマンドによって完了されてもよい。本出願の実施形態を組み合わせて開示される方法の内容はハードウェアプロセッサによって実行されて完了され、又はプロセッサにおけるハードウェア及びソフトウェアモジュールの組み合わせで実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。前記記憶媒体はメモリ７４０に位置し、プロセッサ７３０はメモリ７４０における情報を読み取り、そのハードウェアと組み合わせて上記方法の内容を完了する。繰り返しを回避するために、ここで詳細な説明を省略する。
【０２０４】
一つの具体的な実施形態では、図７の装置５００が備える確定モジュール５１０は、図９の前記プロセッサ７３０で実現されてもよく、図７の装置５００が備える通信モジュール５２０は、図９の前記入力インタフェース７１０と前記出力インタフェース７２０で実現されてもよい。
【０２０５】
本出願の実施形態は、さらに一つ又は複数のプログラムを記憶し、前記一つ又は複数のプログラムがコマンドを含み、前記コマンドが複数のアプリケーションプログラムを含む携帯型電子装置によって実行されると、前記携帯型電子装置に図２と図５に示す実施形態における方法を実行させることができるコンピュータ可読記憶媒体を提供する。
【０２０６】
本出願の実施形態はさらに、コマンドを含み、コンピュータに実行されると、コンピュータが図２と図５に示す実施形態における方法の対応するプロセスを実行することができるコンピュータプログラムを提供する。
【０２０７】
当業者であれば、本明細書で開示される実施形態と組み合わせて説明された各例のユニット及びアルゴリズムステップは、電子ハードウェア、又はコンピュータソフトウェアと電子ハードウェアの組み合わせで実現されてもよいと理解できる。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０２０８】
当業者は、便利及び簡潔に説明するために、上記システム、装置及びユニットの具体的な動作プロセスについて、前記方法の実施形態における対応するプロセスを参照でき、ここで説明を省略することを明確に理解することができる。
【０２０９】
本出願が提供するいくつかの実施形態では、開示されるシステム、装置及び方法は、他の方式で実現されてもよいと理解すべきである。例えば、上記装置の実施形態は例示的なものだけであり、例えば、前記ユニットの区分は、論理機能的区分だけであり、実際に実施する時に他の区分方式もあり得て、例えば複数のユニット又は構成要素は組合わせられてもよく又は別のシステムに統合されてもよく、又はいくつかの特徴は無視されてもよく、又は実行されなくてもよい。また、表示又は検討した相互結合又は直接結合又は通信接続は、幾つかのインタフェースを通じて実現されてもよい。装置又はユニットの間の間接的結合又は通信接続は、電子的形態、機械的形態又は他の形態で実現されててもよい。
【０２１０】
分離部材として説明された前記ユニットは物理的に分離するものであってもよく又は物理的に分離するものでなくてもよく、ユニットとして表示された部材は物理的ユニットであってもよく又は物理的ユニットでなくてもよく、即ち一つの位置に配置されてもよく、又は複数のネットワーク要素に分散されてもよい。それらの一部又は全てのユニットは本実施形態の解決策の目的を達成するために、実際のニーズに応じて選択されてもよい。
【０２１１】
また、本出願の各実施形態における各機能ユニットは一つの処理ユニットに統合されてもよく、個々のユニットは単独で物理的に存在してもよく、二つ又は二つ以上のユニットは一つのユニットに統合されてもよい。
【０２１２】
前記機能はソフトウェア機能ユニットの形態で実現され且つ独立した製品として販売または使用される時に、一つのコンピュータ読み取り可能記憶媒体に格納されてもよい。このような理解に基づき、本出願の技術的解決策は本質的に又は従来技術に寄与する部分又は前記技術的解決策の部分がソフトウェア製品の形で具現化されてもよく、前記コンピュータソフトウェア製品が記憶媒体に記憶され、コンピュータ装置（パーソナルコンピュータ、サーバ、又はネットワークデバイス等であってもよい）に本出願の様々な実施形態に記載された方法の全て又は一部のステップを実行させるためのいくつかの命令を含む。前記憶媒体はＵＳＢフラッシュドライブ、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２１３】
以上は、本出願の実施形態の具体的な実施形態だけであるが、本出願の保護範囲はこれに制限されず、当業者が本出願で開示された技術範囲内で容易に想到し得る変化又は入れ替わりが全て本出願の保護範囲以内に含まれるべきである。従って、本出願の保護範囲は前記請求項の保護範囲に準拠するべきである。
【手続補正２】
【補正対象書類名】特許請求の範囲
【補正対象項目名】全文
【補正方法】変更
【補正の内容】
【特許請求の範囲】
【請求項１】
情報伝送方法であって、
端末装置がネットワーク装置から送信された第一の情報を受信することと、
前記端末装置が前記第一の情報に基づき、アップリンク伝送リソースにおける、アップリンク制御情報を伝送するための第一のリソースを確定することと、
前記端末装置が前記第一のリソースに基づき、前記アップリンク制御情報を伝送することと、を含む、前記情報伝送方法。
【請求項２】
前記第一の情報は、
アップリンク伝送リソースでアップリンク制御情報を伝送できるか否か、アップリンク制御情報の伝送のためのリソースの数、アップリンク制御情報の伝送のためのリソースの割合、伝送可能なアップリンク制御情報のビット数及び伝送可能なアップリンク制御情報のタイプのうちの少なくとも１つを示すことに用いられることを特徴とする
請求項１に記載の方法。
【請求項３】
前記第一の情報は、アップリンク制御情報の変調及び符号化方式（ＭＣＳ）オフセットを示すための指示フィールドに搬送されることを特徴とする
請求項１に記載の方法。
【請求項４】
前記指示フィールドの第一の部分の値は、伝送が制限されるアップリンク制御情報を示すことに用いられ、前記指示フィールドの第二の部分の値は、伝送が制限されないアップリンク制御情報を示すことに用いられることを特徴とする
請求項３に記載の方法。
【請求項５】
前記伝送が制限されるアップリンク制御情報に対して、ゼロパディング、繰り返し、圧縮、多重化及び破棄のうちの少なくとも１つの処理が実行されることを特徴とする
請求項４に記載の方法。
【請求項６】
前記端末装置はデータチャネルのタイプ及び／又はデータ伝送のための時間領域長さに基づいて前記第一の情報を確定することを特徴とする
請求項１〜５のいずれか一項に記載の方法。
【請求項７】
前記第一の情報は、半永続的リソース及び半静的リソースのうちの少なくとも１つに専属することを特徴とする
請求項１〜６のいずれか一項に記載の方法。
【請求項８】
前記アップリンク制御情報は、
ＨＡＲＱ−ＡＣＫ、ランクランク指示（ＲＩ）、チャネル品質指示（ＣＱＩ）、プリコーディングマトリックス指示（ＰＭＩ）、チャネル状態情報基準信号リソース指示（ＣＲＩ）、最強層指示（ＳＬＩ）とレイヤ１基準信号受信電力（Ｌ１−ＲＳＲＰ）のうちの少なくとも１つを含むことを特徴とする
請求項１〜７のいずれか一項に記載の方法。
【請求項９】
情報伝送装置であって、
ネットワーク装置から送信された第一の情報を受信するように構成される通信モジュールと、
前記第一の情報に基づき、アップリンク伝送リソースにおける、アップリンク制御情報を伝送するための第一のリソースを確定するように構成される確定ユニットとを備え、
前記通信モジュールがさらに前記第一のリソースに基づき、前記アップリンク制御情報を伝送するように構成される、前記情報伝送装置。
【請求項１０】
前記第一の情報は、
アップリンク伝送リソースでアップリンク制御情報を伝送できるか否か、アップリンク制御情報の伝送のためのリソースの数、アップリンク制御情報の伝送のためのリソースの割合、伝送可能なアップリンク制御情報のビット数及び伝送可能なアップリンク制御情報のタイプのうちの少なくとも１つを示すことに用いられることを特徴とする
請求項９に記載の装置。
【請求項１１】
前記第一の情報は、アップリンク制御情報の変調及び符号化方式（ＭＣＳ）オフセットを示すための指示フィールドに搬送されることを特徴とする
請求項９に記載の装置。
【請求項１２】
前記指示フィールドの第一の部分の値は伝送が制限されるアップリンク制御情報を示すことに用いられ、前記指示フィールドの第二の部分の値は伝送が制限されないアップリンク制御情報を示すことに用いられることを特徴とする
請求項１１に記載の装置。
【請求項１３】
前記端末装置はデータチャネルのタイプ及び／又はデータ伝送のための時間領域長さに基づいて前記第一の情報を確定することを特徴とする
請求項９〜１３のいずれか一項に記載の装置。
【請求項１４】
前記第一の情報は、半永続的リソース及び半静的リソースのうちの少なくとも１つに専属することを特徴とする
請求項９〜１３のいずれか一項に記載の装置。
【請求項１５】
前記アップリンク制御情報は、
ＨＡＲＱ−ＡＣＫ、ランクランク指示（ＲＩ）、チャネル品質指示（ＣＱＩ）、プリコーディングマトリックス指示（ＰＭＩ）、チャネル状態情報基準信号リソース指示（ＣＲＩ）、最強層指示（ＳＬＩ）とレイヤ１基準信号受信電力（Ｌ１−ＲＳＲＰ）のうちの少なくとも１つを含むことを特徴とする
請求項９〜１４のいずれか一項に記載の装置。
【国際調査報告】
2021517756.tif 000026
2021517756.tif 000027
2021517756.tif 000028
2021517756.tif 000029